(57)【特許請求の範囲】
【請求項１】
ユーザ機器において動作可能なワイヤレス通信の方法であって、
基地局の第１のセクタを介して前記基地局と通信することと、
プリアンブルシグナチャパーティションリストを受信することと、
前記基地局の第２のセクタがよりソフトなハンドオーバのために利用可能であると判断することと、
前記第１のセクタと前記第２のセクタとに関連するよりソフトなハンドオーバ構成に対応する前記プリアンブルシグナチャパーティションリストからプリアンブルシグナチャを選択することと、
非専用チャネル状態にある間に、前記プリアンブルシグナチャを含むよりソフトなハンドオーバ開始メッセージを送信することと
を備える、方法。
【請求項２】
前記非専用チャネル状態がＣｅｌｌ＿ＦＡＣＨ状態である、請求項１に記載の方法。
【請求項３】
前記第１のセクタがサービングセクタであり、前記第２のセクタが非サービングセクタである、請求項１に記載の方法。
【請求項４】
前記基地局の前記第２のセクタがよりソフトなハンドオーバのために利用可能であると判断することは、
前記第１のセクタから受信した第１の信号と前記第２のセクタから受信した第２の信号との間の電力レベル差が、あらかじめ定義されたしきい値よりも小さいと判断することを備える、請求項１に記載の方法。
【請求項５】
前記第１の信号と前記第２の信号とが共通パイロットインジケータチャネルである、請求項４に記載の方法。
【請求項６】
前記基地局の前記第２のセクタがよりソフトなハンドオーバのために利用可能であると判断することは、
前記第２のセクタから受信した信号の信号対雑音比が、あらかじめ定義されたしきい値よりも大きいと判断すること
を備える、請求項１に記載の方法。
【請求項７】
前記よりソフトなハンドオーバ開始メッセージが、物理ランダムアクセスチャネル（ＰＲＡＣＨ）上で送信されるランダムアクセスメッセージである、請求項１に記載の方法。
【請求項８】
アップリンク送信を可能にするチャネルのチャネルコード情報を含むマルチセクタ共通拡張アップリンク専用チャネル（Ｅ−ＤＣＨ）システム情報リソースリストを受信することをさらに備え、前記チャネルコード情報が前記基地局の複数のセクタに関連付けられる、請求項１に記載の方法。
【請求項９】
前記よりソフトなハンドオーバ開始メッセージを送信することに応答して、前記基地局からマルチセクタＥ−ＤＣＨリソースインデックス値を受信すること
をさらに備える、請求項８に記載の方法。
【請求項１０】
前記マルチセクタＥ−ＤＣＨリソースインデックス値に基づいて前記マルチセクタ共通Ｅ−ＤＣＨシステム情報リソースリストからＥ−ＤＣＨリソースを選択することと、
前記第１のセクタを介して、前記選択されたＥ−ＤＣＨリソースの第１の部分から第１のデータストリームを受信することと、
前記第２のセクタを介して、前記選択されたＥ−ＤＣＨリソースの第２の部分から第２のデータストリームを受信することと
をさらに備える、請求項９に記載の方法。
【請求項１１】
前記選択されたＥ−ＤＣＨリソースの前記第１の部分が、前記第１のセクタに関連するフラクショナル専用物理チャネル（Ｆ−ＤＰＣＨ）、Ｅ−ＤＣＨハイブリッド自動再送要求（ＨＡＲＱ）インジケータチャネル（Ｅ−ＨＩＣＨ）、および／またはＥ−ＤＣＨ相対グラントチャネル（Ｅ−ＲＧＣＨ）の少なくとも１つを含み、前記選択されたＥ−ＤＣＨリソースの前記第２の部分が、前記第２のセクタに関連するフラクショナル専用物理チャネル（Ｆ−ＤＰＣＨ）、Ｅ−ＤＣＨハイブリッド自動再送要求（ＨＡＲＱ）インジケータチャネル（Ｅ−ＨＩＣＨ）、および／またはＥ−ＤＣＨ相対グラントチャネル（Ｅ−ＲＧＣＨ）の少なくとも１つを含む、請求項１０に記載の方法。
【請求項１２】
前記第１のデータストリームと前記第２のデータストリームとを復調することと、
基礎をなす生データを復元するために、前記復調された第１のデータストリームを前記第２のデータストリームとソフト結合することと
をさらに備える、請求項９に記載の方法。
【請求項１３】
基地局の第１のセクタを介して前記基地局と通信するように適合された通信インターフェースと、
前記通信インターフェースに通信可能に結合された処理回路であって、
プリアンブルシグナチャパーティションリストを受信することと、
前記基地局の第２のセクタがよりソフトなハンドオーバのために利用可能であると判断することと、
前記第１のセクタと前記第２のセクタとに関連するよりソフトなハンドオーバ構成に対応する前記プリアンブルシグナチャパーティションリストからプリアンブルシグナチャを選択することと、
非専用チャネル状態にある間に、前記プリアンブルシグナチャを含むよりソフトなハンドオーバ開始メッセージを送信することと
を行うように適合された処理回路と
を備える、ユーザ機器。
【請求項１４】
前記非専用チャネル状態がＣｅｌｌ＿ＦＡＣＨ状態である、請求項１３に記載のユーザ機器。
【請求項１５】
前記第１のセクタがサービングセクタであり、前記第２のセクタが非サービングセクタである、請求項１３に記載のユーザ機器。
【請求項１６】
前記基地局の前記第２のセクタがよりソフトなハンドオーバのために利用可能であると判断するように適合された前記処理回路は、
前記第１のセクタから受信した第１の信号と前記第２のセクタから受信した第２の信号との間の電力レベル差が、あらかじめ定義されたしきい値よりも小さいと判断することを備える、請求項１３に記載のユーザ機器。
【請求項１７】
前記第１の信号と前記第２の信号とが共通パイロットインジケータチャネルである、請求項１６に記載のユーザ機器。
【請求項１８】
前記基地局の前記第２のセクタがよりソフトなハンドオーバのために利用可能であると判断するように適合された前記処理回路は、
前記第２のセクタから受信した信号の信号対雑音比が、あらかじめ定義されたしきい値よりも大きいと判断すること
を備える、請求項１３に記載のユーザ機器。
【請求項１９】
前記よりソフトなハンドオーバ開始メッセージが、物理ランダムアクセスチャネル（ＰＲＡＣＨ）上で送信されるランダムアクセスメッセージである、請求項１３に記載のユーザ機器。
【請求項２０】
前記処理回路が、
アップリンク送信を可能にするチャネルのチャネルコード情報を含むマルチセクタ共通拡張アップリンク専用チャネル（Ｅ−ＤＣＨ）システム情報リソースリストを受信するようにさらに適合され、前記チャネルコード情報が前記基地局の複数のセクタに関連付けられる、請求項１３に記載のユーザ機器。
【請求項２１】
前記処理回路が、
前記よりソフトなハンドオーバ開始メッセージを送信することに応答して、前記基地局からマルチセクタＥ−ＤＣＨリソースインデックス値を受信すること
を行うようにさらに適合された、請求項２０に記載のユーザ機器。
【請求項２２】
前記処理回路が、
前記マルチセクタＥ−ＤＣＨリソースインデックス値に基づいて前記マルチセクタ共通Ｅ−ＤＣＨシステム情報リソースリストからＥ−ＤＣＨリソースを選択することと、
前記第１のセクタを介して、前記選択されたＥ−ＤＣＨリソースの第１の部分から第１のデータストリームを受信することと、
前記第２のセクタを介して、前記選択されたＥ−ＤＣＨリソースの第２の部分から第２のデータストリームを受信することと
を行うようにさらに適合された、請求項２１に記載のユーザ機器。
【請求項２３】
前記選択されたＥ−ＤＣＨリソースの前記第１の部分が、前記第１のセクタに関連するフラクショナル専用物理チャネル（Ｆ−ＤＰＣＨ）、Ｅ−ＤＣＨハイブリッド自動再送要求（ＨＡＲＱ）インジケータチャネル（Ｅ−ＨＩＣＨ）、および／またはＥ−ＤＣＨ相対グラントチャネル（Ｅ−ＲＧＣＨ）の少なくとも１つを含み、前記選択されたＥ−ＤＣＨリソースの前記第２の部分が、前記第２のセクタに関連するフラクショナル専用物理チャネル（Ｆ−ＤＰＣＨ）、Ｅ−ＤＣＨハイブリッド自動再送要求（ＨＡＲＱ）インジケータチャネル（Ｅ−ＨＩＣＨ）、および／またはＥ−ＤＣＨ相対グラントチャネル（Ｅ−ＲＧＣＨ）の少なくとも１つを含む、請求項２２に記載のユーザ機器。
【請求項２４】
前記処理回路が、
前記第１のデータストリームと前記第２のデータストリームとを復調することと、
基礎をなす生データを復元するために、前記復調された第１のデータストリームを前記第２のデータストリームとソフト結合することと
を行うようにさらに適合された、請求項２１に記載のユーザ機器。
【請求項２５】
基地局の第１のセクタを介して前記基地局と通信するための手段と、
プリアンブルシグナチャパーティションリストを受信するための手段と、
前記基地局の第２のセクタがよりソフトなハンドオーバのために利用可能であると判断するための手段と、
前記第１のセクタと前記第２のセクタとに関連するよりソフトなハンドオーバ構成に対応する前記プリアンブルシグナチャパーティションリストからプリアンブルシグナチャを選択するための手段と、
非専用チャネル状態にある間に、前記プリアンブルシグナチャを含むよりソフトなハンドオーバ開始メッセージを送信するための手段と
を備える、ユーザ機器。
【請求項２６】
前記非専用チャネル状態がＣｅｌｌ＿ＦＡＣＨ状態である、請求項２５に記載のユーザ機器。
【請求項２７】
前記基地局の前記第２のセクタがよりソフトなハンドオーバのために利用可能であると判断するための前記手段は、
前記第１のセクタから受信した第１の信号と前記第２のセクタから受信した第２の信号との間の電力レベル差が、あらかじめ定義されたしきい値よりも小さいと判断するための手段
を備える、請求項２５に記載のユーザ機器。
【請求項２８】
アップリンク送信を可能にするチャネルのチャネルコード情報を含むマルチセクタ共通拡張アップリンク専用チャネル（Ｅ−ＤＣＨ）システム情報リソースリストを受信するための手段をさらに備え、前記チャネルコード情報が前記基地局の複数のセクタに関連付けられる、請求項２５に記載のユーザ機器。
【請求項２９】
前記よりソフトなハンドオーバ開始メッセージを送信することに応答して、前記基地局からマルチセクタＥ−ＤＣＨリソースインデックス値を受信するための手段と、
前記マルチセクタＥ−ＤＣＨリソースインデックス値に基づいて前記マルチセクタ共通Ｅ−ＤＣＨシステム情報リソースリストからＥ−ＤＣＨリソースを選択するための手段と、
前記第１のセクタを介して、前記選択されたＥ−ＤＣＨリソースの第１の部分から第１のデータストリームを受信するための手段と、
前記第２のセクタを介して、前記選択されたＥ−ＤＣＨリソースの第２の部分から第２のデータストリームを受信するための手段と
をさらに備える、請求項２８に記載のユーザ機器。
【請求項３０】
少なくとも１つのプロセッサによって実行されたとき、前記プロセッサに、
基地局の第１のセクタを介して前記基地局と通信することと、
プリアンブルシグナチャパーティションリストを受信することと、
前記基地局の第２のセクタがよりソフトなハンドオーバのために利用可能であると判断することと、
前記第１のセクタと前記第２のセクタとに関連するよりソフトなハンドオーバ構成に対応する前記プリアンブルシグナチャパーティションリストからプリアンブルシグナチャを選択することと、
非専用チャネル状態にある間に、前記プリアンブルシグナチャを含むよりソフトなハンドオーバ開始メッセージを送信することと
を行わせる１つまたは複数の命令を記憶した、非一時的プロセッサ可読媒体。
【請求項３１】
前記非専用チャネル状態がＣｅｌｌ＿ＦＡＣＨ状態である、請求項３０に記載の非一時的プロセッサ可読媒体。
【請求項３２】
前記基地局の前記第２のセクタがよりソフトなハンドオーバのために利用可能であると判断することを前記プロセッサに行わせる前記命令が、前記プロセッサに、
前記第１のセクタから受信した第１の信号と前記第２のセクタから受信した第２の信号との間の電力レベル差が、あらかじめ定義されたしきい値よりも小さいと判断することをさらに行わせる、請求項３０に記載の非一時的プロセッサ可読媒体。
【請求項３３】
前記命令が、前記プロセッサによって実行されたとき、前記プロセッサに、アップリンク送信を可能にするチャネルのチャネルコード情報を含むマルチセクタ共通拡張アップリンク専用チャネル（Ｅ−ＤＣＨ）システム情報リソースリストを受信することをさらに行わせ、前記チャネルコード情報が前記基地局の複数のセクタに関連付けられる、請求項３０に記載の非一時的プロセッサ可読媒体。
【請求項３４】
前記命令が、前記プロセッサによって実行されたとき、前記プロセッサに、
前記よりソフトなハンドオーバ開始メッセージを送信することに応答して、前記基地局からマルチセクタＥ−ＤＣＨリソースインデックス値を受信することと、
前記マルチセクタＥ−ＤＣＨリソースインデックス値に基づいて前記マルチセクタ共通Ｅ−ＤＣＨシステム情報リソースリストからＥ−ＤＣＨリソースを選択することと、
前記第１のセクタを介して、前記選択されたＥ−ＤＣＨリソースの第１の部分から第１のデータストリームを受信することと、
前記第２のセクタを介して、前記選択されたＥ−ＤＣＨリソースの第２の部分から第２のデータストリームを受信することと
をさらに行わせる、請求項３３に記載の非一時的プロセッサ可読媒体。
【請求項３５】
基地局において動作可能なワイヤレス通信の方法であって、
前記基地局の第１のセクタを介してユーザ機器（ＵＥ）と通信することと、
プリアンブルシグナチャパーティションリストをブロードキャストすることと、
前記ＵＥからプリアンブルシグナチャを含むよりソフトなハンドオーバ開始メッセージを受信することと、
前記受信したプリアンブルシグナチャに基づいて前記プリアンブルシグナチャパーティションリストから、前記基地局の前記第１のセクタと第２のセクタとに関連するよりソフトなハンドオーバ構成を識別することと
を備える、方法。
【請求項３６】
前記第１のセクタが前記ＵＥに対するサービングセクタであり、前記第２のセクタが前記ＵＥに対する非サービングセクタである、請求項３５に記載の方法。
【請求項３７】
前記よりソフトなハンドオーバ開始メッセージが、物理ランダムアクセスチャネル（ＰＲＡＣＨ）上で受信されるランダムアクセスメッセージである、請求項３５に記載の方法。
【請求項３８】
無線ネットワークコントローラ（ＲＮＣ）から前記プリアンブルシグナチャパーティションリストを受信すること
をさらに備える、請求項３５に記載の方法。
【請求項３９】
ＲＮＣからマルチセクタ共通拡張アップリンク専用チャネル（Ｅ−ＤＣＨ）システム情報リソースリストを受信すること
をさらに備える、請求項３５に記載の方法。
【請求項４０】
前記受信したプリアンブルシグナチャに基づいて、前記ＵＥが前記第１のセクタと前記第２のセクタとの内に位置すると判断すること
をさらに備える、請求項３５に記載の方法。
【請求項４１】
前記ＵＥが非専用チャネル状態にある間に、前記第１のセクタと前記第２のセクタとに関連する前記よりソフトなハンドオーバ構成に関与することを前記ＵＥが望むと判断すること
をさらに備える、請求項４０に記載の方法。
【請求項４２】
前記非専用チャネル状態がＣｅｌｌ＿ＦＡＣＨ状態である、請求項４１に記載の方法。
【請求項４３】
アップリンク送信を可能にするチャネルのチャネルコード情報を含むマルチセクタ共通Ｅ−ＤＣＨシステム情報リソースリストを前記ＵＥに送信することをさらに備え、前記チャネルコード情報が前記基地局の複数のセクタに関連付けられる、請求項３５に記載の方法。
【請求項４４】
前記よりソフトなハンドオーバ開始メッセージを受信することに応答して、前記ＵＥにマルチセクタＥ−ＤＣＨリソースインデックス値を送信すること
をさらに備える、請求項４３に記載の方法。
【請求項４５】
前記第１のセクタを介して、前記マルチセクタＥ−ＤＣＨリソースインデックス値に対応する、Ｅ−ＤＣＨリソースの第１の部分上で第１のデータストリームを送信することと、
前記第２のセクタを介して、前記マルチセクタＥ−ＤＣＨリソースインデックス値に対応する、Ｅ−ＤＣＨリソースの第２の部分上で第２のデータストリームを送信することとをさらに備える、請求項４４に記載の方法。
【請求項４６】
前記基地局がノードＢまたは発展型ノードＢのうちの１つである、請求項３５に記載の方法。
【請求項４７】
前記第１のセクタと前記第２のセクタが両方とも同じキャリア周波数に関連付けられる、請求項３５に記載の方法。
【請求項４８】
基地局であって、
前記基地局の第１のセクタを介してユーザ機器（ＵＥ）と通信するように適合された通信インターフェースと、
前記通信インターフェースに通信可能に結合された処理回路であって、
プリアンブルシグナチャパーティションリストをブロードキャストすることと、
前記ＵＥからプリアンブルシグナチャを含むよりソフトなハンドオーバ開始メッセージを受信することと、
前記受信したプリアンブルシグナチャに基づいて前記プリアンブルシグナチャパーティションリストから、前記基地局の前記第１のセクタと第２のセクタとに関連するよりソフトなハンドオーバ構成を識別することと
を行うように適合された処理回路と
を備える、基地局。
【請求項４９】
前記第１のセクタが前記ＵＥに対するサービングセクタであり、前記第２のセクタが前記ＵＥに対する非サービングセクタである、請求項４８に記載の基地局。
【請求項５０】
前記よりソフトなハンドオーバ開始メッセージが、物理ランダムアクセスチャネル（ＰＲＡＣＨ）上で受信されるランダムアクセスメッセージである、請求項４８に記載の基地局。
【請求項５１】
前記処理回路が、
無線ネットワークコントローラ（ＲＮＣ）から前記プリアンブルシグナチャパーティションリストを受信すること
を行うようにさらに適合された、請求項４８に記載の基地局。
【請求項５２】
前記処理回路が、
ＲＮＣからマルチセクタ共通拡張アップリンク専用チャネル（Ｅ−ＤＣＨ）システム情報リソースリストを受信すること
を行うようにさらに適合された、請求項４８に記載の基地局。
【請求項５３】
前記処理回路が、
前記受信したプリアンブルシグナチャに基づいて、前記ＵＥが前記第１のセクタと前記第２のセクタとの内に位置すると判断すること
を行うようにさらに適合された、請求項４８に記載の基地局。
【請求項５４】
前記処理回路は、
前記ＵＥが非専用チャネル状態にある間に、前記第１のセクタと前記第２のセクタとに関連する前記よりソフトなハンドオーバ構成に関与することを前記ＵＥが望むと判断すること
を行うようにさらに適合された、請求項５３に記載の基地局。
【請求項５５】
前記非専用チャネル状態がＣｅｌｌ＿ＦＡＣＨ状態である、請求項５４に記載の基地局。
【請求項５６】
前記処理回路が、
アップリンク送信を可能にするチャネルのチャネルコード情報を含むマルチセクタ共通Ｅ−ＤＣＨシステム情報リソースリストを前記ＵＥに送信するようにさらに適合され、前記チャネルコード情報が前記基地局の複数のセクタに関連付けられる、請求項４８に記載の基地局。
【請求項５７】
前記処理回路が、
前記よりソフトなハンドオーバ開始メッセージを受信することに応答して、前記ＵＥにマルチセクタＥ−ＤＣＨリソースインデックス値を送信すること
を行うようにさらに適合された、請求項５６に記載の基地局。
【請求項５８】
前記処理回路が、
前記第１のセクタを介して、前記マルチセクタＥ−ＤＣＨリソースインデックス値に対応する、Ｅ−ＤＣＨリソースの第１の部分上で第１のデータストリームを送信することと、
前記第２のセクタを介して、前記マルチセクタＥ−ＤＣＨリソースインデックス値に対応する、Ｅ−ＤＣＨリソースの第２の部分上で第２のデータストリームを送信することとを行うようにさらに適合された、請求項５７に記載の基地局。
【請求項５９】
前記基地局がノードＢまたは発展型ノードＢのうちの１つである、請求項４８に記載の基地局。
【請求項６０】
前記第１のセクタと前記第２のセクタが両方とも同じキャリア周波数に関連付けられる、請求項４８に記載の基地局。
【請求項６１】
基地局であって、
前記基地局の第１のセクタを介してユーザ機器（ＵＥ）と通信するための手段と、
プリアンブルシグナチャパーティションリストをブロードキャストするための手段と、
前記ＵＥからプリアンブルシグナチャを含むよりソフトなハンドオーバ開始メッセージを受信するための手段と、
前記受信したプリアンブルシグナチャに基づいて前記プリアンブルシグナチャパーティションリストから、前記基地局の前記第１のセクタと第２のセクタとに関連するよりソフトなハンドオーバ構成を識別するための手段と
を備える、基地局。
【請求項６２】
無線ネットワークコントローラ（ＲＮＣ）から前記プリアンブルシグナチャパーティションリストを受信するための手段と、
前記ＲＮＣからマルチセクタ共通拡張アップリンク専用チャネル（Ｅ−ＤＣＨ）システム情報リソースリストを受信するための手段と
をさらに備える、請求項６１に記載の基地局。
【請求項６３】
前記受信したプリアンブルシグナチャに基づいて、前記ＵＥが前記第１のセクタと前記第２のセクタとの内に位置すると判断するための手段
をさらに備える、請求項６１に記載の基地局。
【請求項６４】
前記ＵＥがＣｅｌｌ＿ＦＡＣＨ状態にある間に、前記第１のセクタと前記第２のセクタとに関連する前記よりソフトなハンドオーバ構成に関与することを前記ＵＥが望むと判断するための手段
をさらに備える、請求項６３に記載の基地局。
【請求項６５】
アップリンク送信を可能にするチャネルのチャネルコード情報を含むマルチセクタ共通Ｅ−ＤＣＨシステム情報リソースリストを前記ＵＥに送信するための手段をさらに備え、前記チャネルコード情報が前記基地局の複数のセクタに関連付けられる、請求項６１に記載の基地局。
【請求項６６】
前記よりソフトなハンドオーバ開始メッセージを受信することに応答して、前記ＵＥにマルチセクタＥ−ＤＣＨリソースインデックス値を送信するための手段と、
前記第１のセクタを介して、前記マルチセクタＥ−ＤＣＨリソースインデックス値に対応する、Ｅ−ＤＣＨリソースの第１の部分上で第１のデータストリームを送信するための手段と、
前記第２のセクタを介して、前記マルチセクタＥ−ＤＣＨリソースインデックス値に対応する、Ｅ−ＤＣＨリソースの第２の部分上で第２のデータストリームを送信するための手段と
をさらに備える、請求項６５に記載の基地局。
【請求項６７】
少なくとも１つのプロセッサによって実行されたとき、前記プロセッサに、
基地局の第１のセクタを介してユーザ機器（ＵＥ）と通信することと、
プリアンブルシグナチャパーティションリストをブロードキャストすることと、
前記ＵＥからプリアンブルシグナチャを含むよりソフトなハンドオーバ開始メッセージを受信することと、
前記受信したプリアンブルシグナチャに基づいて前記プリアンブルシグナチャパーティションリストから、前記基地局の前記第１のセクタと第２のセクタとに関連するよりソフトなハンドオーバ構成を識別することと
を行わせる１つまたは複数の命令を記憶した、非一時的プロセッサ可読媒体。
【請求項６８】
前記命令が、前記プロセッサによって実行されたとき、前記プロセッサに、
無線ネットワークコントローラ（ＲＮＣ）から前記プリアンブルシグナチャパーティションリストを受信することと、
前記ＲＮＣからマルチセクタ共通拡張アップリンク専用チャネル（Ｅ−ＤＣＨ）システム情報リソースリストを受信することと
をさらに行わせる、請求項６７に記載の非一時的プロセッサ可読媒体。
【請求項６９】
前記命令が、前記プロセッサによって実行されたとき、前記プロセッサに、
前記受信したプリアンブルシグナチャに基づいて、前記ＵＥが前記第１のセクタと前記第２のセクタとの内に位置すると判断すること
をさらに行わせる、請求項６７に記載の非一時的プロセッサ可読媒体。
【請求項７０】
前記命令が、前記プロセッサによって実行されたとき、前記プロセッサに、
前記ＵＥがＣｅｌｌ＿ＦＡＣＨ状態にある間に、前記第１のセクタと前記第２のセクタとに関連する前記よりソフトなハンドオーバ構成に関与することを前記ＵＥが望むと判断すること
をさらに行わせる、請求項６９に記載の非一時的プロセッサ可読媒体。
【請求項７１】
前記命令が、前記プロセッサによって実行されたとき、前記プロセッサに、アップリンク送信を可能にするチャネルのチャネルコード情報を含むマルチセクタ共通Ｅ−ＤＣＨシステム情報リソースリストを前記ＵＥに送信することをさらに行わせ、前記チャネルコード情報が前記基地局の複数のセクタに関連付けられる、請求項６７に記載の非一時的プロセッサ可読媒体。
【請求項７２】
前記命令が、前記プロセッサによって実行されたとき、前記プロセッサに、
前記よりソフトなハンドオーバ開始メッセージを受信することに応答して、前記ＵＥにマルチセクタＥ−ＤＣＨリソースインデックス値を送信することと、
前記第１のセクタを介して、前記マルチセクタＥ−ＤＣＨリソースインデックス値に対応する、Ｅ−ＤＣＨリソースの第１の部分上で第１のデータストリームを送信することと、
前記第２のセクタを介して、前記マルチセクタＥ−ＤＣＨリソースインデックス値に対応する、Ｅ−ＤＣＨリソースの第２の部分上で第２のデータストリームを送信することとをさらに行わせる、請求項７１に記載の非一時的プロセッサ可読媒体。
【発明の詳細な説明】
【技術分野】
【０００１】
関連出願の相互参照
本出願は、その内容全体が参照により本明細書に組み込まれる、２０１１年４月４日に米国特許商標局に出願された仮特許出願第６１／４７１，３３２号の優先権および利益を主張するものである。
【０００２】
本開示の態様は、一般にワイヤレス通信システムに関し、より詳細には、ワイヤレス通信システムにおけるユーザ機器によるよりソフトなハンドオーバを可能にすることに関する。
【背景技術】
【０００３】
ワイヤレス通信ネットワークは、電話、ビデオ、データ、メッセージング、ブロードキャストなどの様々な通信サービスを提供するために広く展開されている。そのようなネットワークは、通常、多元接続ネットワークであり、利用可能なネットワークリソースを共有することによって複数のユーザのための通信をサポートする。そのようなネットワークの一例は、ＵＭＴＳ地上波無線アクセスネットワーク（ＵＴＲＡＮ：UMTS Terrestrial Radio Access Network）である。ＵＴＲＡＮは、３ｒｄ  Ｇｅｎｅｒａｔｉｏｎ  Ｐａｒｔｎｅｒｓｈｉｐ  Ｐｒｏｊｅｃｔ（３ＧＰＰ）によってサポートされる第３世代（３Ｇ）モバイルフォン技術である、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）の一部として定義された無線アクセスネットワーク（ＲＡＮ）である。ＵＭＴＳは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）技術の後継であり、現在、広帯域符号分割多元接続（Ｗ−ＣＤＭＡ（登録商標）：Wideband-Code Division Multiple Access）、時分割符号分割多元接続（ＴＤ−ＣＤＭＡ：Time Division-Code Division Multiple Access）、および、時分割同期符号分割多元接続（ＴＤ−ＳＣＤＭＡ：Time Division-Synchronous Code Division Multiple Access）など、様々なエアインターフェース規格をサポートする。ＵＭＴＳはまた、高速パケットアクセス（ＨＳＰＡ：High Speed Packet Access）など、拡張型３Ｇデータ通信プロトコルをもサポートし、このプロトコルは、より高いデータ転送速度および容量を、関連するＵＭＴＳネットワークに提供する。
【０００４】
「よりソフトなハンドオーバ」または「よりソフトなハンドオフ」は、ＵＭＴＳ規格によって使用される動作モードを指し、移動局は、呼中に同じ物理セルサイト（例えば、セル）の２つ以上のセクタに同時に接続され、従って、それのアクティブセットサイズは１よりも大きくなる。移動局が２つ以上の異なる物理セルサイトに同時に接続される場合、その動作は「ソフトハンドオーバ」または「ソフトハンドオフ」と呼ばれる。ソフトハンドオーバおよび／またはよりソフトなハンドオーバは移動局支援ハンドオーバの形態である。ＣＤＭＡシグナリング方式の特性により、ＣＤＭＡ移動局は、同じ周波数帯域幅中の異なる物理チャネル上で（ただし、おそらく異なる送信コードを使用して）同じビットストリームを送信している２つ以上のリモートラジオヘッド（ＲＲＨ：remote radio head）および／または無線基地局から信号を同時に受信することが可能である。２つ以上のＲＲＨからの信号電力がほぼ同じである場合、受話器は、ただ１つのＲＲＨが移動局に送信している場合よりもはるかに確実にビットストリームが復号されるように受信した信号を組み合わせることができる。これらの信号のうちのいずれか１つが著しく減衰した場合、移動局は、他のＲＲＨのうちの１つから十分な信号強度を有し得る。従って、ソフトハンドオーバおよびよりソフトなハンドオーバは、干渉を緩和し、サービス品質を改善する。
【０００５】
さらに、多くの現代のワイヤレス通信システムでは、移動局は、電力使用の高度な制御を可能にするために、特定の時間における移動局のニーズに基づいて様々な異なる状態のいずれかを仮定し得る。例えば、これらの状態には、専用リソースが移動局に割り当てられた状態と、通信機能の対応する階層を有する様々なレベルのスタンバイ状態と、ワイヤレス接続性がほとんどないアイドル状態とがあり得る。様々なスタンバイ状態内で、ネットワークがセル全体にわたる複数の移動局について低下した制御レベルになることがある。
【０００６】
従来の３ＧＰＰ  ＵＭＴＳネットワークなどの特定の例では、スタンバイ状態のうちの１つはＣｅｌｌ＿ＦＡＣＨと呼ばれる。現在の仕様によれば、ネットワークは、移動局がＣｅｌｌ＿ＦＡＣＨ状態で動作しているときに、移動局がソフトハンドオーバモードおよび／またはよりソフトなハンドオーバモードにあることができないように制限され、従って、移動局は、Ｃｅｌｌ＿ＦＡＣＨ状態にある間、１以下のアクティブセットサイズを有するように制限される。この制限は、現在、Ｃｅｌｌ＿ＤＣＨなどの専用リソースチャネル状態でのよりソフトなハンドオーバの利用可能性にも関わらず持続している。
【０００７】
リモートラジオヘッド能力をもつ分散基地局システムは、コスト効果的な方法で信号カバレージエリアを増加できる。そのようなシステムは複数のＲＲＨを採用し、複数のＲＲＨは全て、それらが接続される基地局に関連する中央ベースバンド処理ユニットに（例えば、光ファイバーケーブルを通して）接続される。ＲＲＨは、異なる地理的エリアに関連するセクタに拡大された信号カバレージを与えるために展開され得る。場合によっては、これらＲＲＨは、これらが少なくとも部分的に１つまたは複数の他のＲＲＨからカバレージをすでに受けている地理的エリアに、増加したおよび／または重複する信号カバレージを与え、従って、１つまたは複数のセクタにすでに関連付けられているように展開され得る。ＵＭＴＳおよび他のネットワークでは、ＲＲＨの展開が増加し続けるにつれて、同じ基地局に属する２つの隣接するセクタの重複カバレージエリア内に入る移動局の割合は、それに応じて増加する。従って、ＣＥＬＬ＿ＦＡＣＨにおいてよりソフトなハンドオーバ動作を与えるニーズがある。
【０００８】
モバイルブロードバンドアクセスに対する需要が増大し続けるにつれて、モバイルブロードバンドアクセスに対する増大する需要を満たすためだけでなく、モバイル通信のユーザエクスペリエンスを進化および向上させるためにもＵＭＴＳ技術を進化させる研究および開発が続けられている。
【発明の概要】
【０００９】
以下に、本開示の１つまたは複数の態様の基本的理解を与えるために、そのような態様の簡略化された概要を提示する。この概要は、本開示の全ての意図された特徴の包括的な概略ではなく、本開示の全ての態様の主要または重要な要素を識別するものでも、本開示のいずれかまたは全ての態様の範囲を定めるものでもない。その唯一の目的は、後で提示するより詳細な説明の導入として、本開示の１つまたは複数の態様のいくつかの概念を簡略化された形で提示することである。
【００１０】
本開示の様々な態様は、非専用チャネル状態にあるユーザ機器によるよりソフトなハンドオーバを可能にするためのシステム、デバイス、および方法を提供する。
【００１１】
１つの特徴は、ユーザ機器において動作可能なワイヤレス通信の方法を提供し、本方法は、基地局の第１のセクタを介して基地局と通信することと、プリアンブルシグナチャパーティションリストを受信することと、基地局の第２のセクタがよりソフトなハンドオーバのために利用可能であると判断することと、第１のセクタと第２のセクタとに関連するよりソフトなハンドオーバ構成に対応するプリアンブルシグナチャパーティションリストからプリアンブルシグナチャを選択することと、非専用チャネル状態にある間に、プリアンブルシグナチャを含むよりソフトなハンドオーバ開始メッセージを送信することとを備える。本開示の一態様によれば、非専用チャネル状態はＣｅｌｌ＿ＦＡＣＨ状態である。別の態様によれば、第１のセクタはサービングセクタであり、第２のセクタは非サービングセクタである。さらに別の態様によれば、基地局の第２のセクタがよりソフトなハンドオーバのために利用可能であると判断するステップは、第１のセクタから受信した第１の信号と第２のセクタから受信した第２の信号との間の電力レベル差が、あらかじめ定義されたしきい値よりも小さいと判断することを備える。一例によれば、第１の信号と第２の信号とは共通パイロットインジケータチャネルである。別の態様によれば、基地局の第２のセクタがよりソフトなハンドオーバのために利用可能であると判断するステップは、第２のセクタから受信した信号の信号対雑音比が、あらかじめ定義されたしきい値よりも大きいと判断することを備える。一態様によれば、よりソフトなハンドオーバ開始メッセージは、物理ランダムアクセスチャネル（ＰＲＡＣＨ：physical random access channel）上で送信されるランダムアクセスメッセージである。
【００１２】
別の態様によれば、本方法は、アップリンク送信を可能にするチャネルのチャネルコード情報を含むマルチセクタ共通拡張アップリンク専用チャネル（Ｅ−ＤＣＨ：enhanced uplink dedicated channel）システム情報リソースリストを受信することをさらに備え、チャネルコード情報は基地局の複数のセクタに関連付けられる。さらに別の態様によれば、本方法は、よりソフトなハンドオーバ開始メッセージを送信することに応答して、基地局からマルチセクタＥ−ＤＣＨリソースインデックス値を受信することをさらに備える。さらに別の態様によれば、本方法は、マルチセクタＥ−ＤＣＨリソースインデックス値に基づいてマルチセクタ共通Ｅ−ＤＣＨシステム情報リソースリストからＥ−ＤＣＨリソースを選択することと、第１のセクタを介して、選択されたＥ−ＤＣＨリソースの第１の部分から第１のデータストリームを受信することと、第２のセクタを介して、選択されたＥ−ＤＣＨリソースの第２の部分から第２のデータストリームを受信することとをさらに備える。一態様によれば、選択されたＥ−ＤＣＨリソースの第１の部分は、第１のセクタに関連するフラクショナル専用物理チャネル（Ｆ−ＤＰＣＨ：fractional dedicated physical channel）、Ｅ−ＤＣＨハイブリッド自動再送要求（ＨＡＲＱ：Hybrid Automatic Repeat Request）インジケータチャネル（Ｅ−ＨＩＣＨ：E-DCH HARQ Indicator Channel）、および／またはＥ−ＤＣＨ相対グラントチャネル（Ｅ−ＲＧＣＨ：E-DCH Relative Grant Channel）の少なくとも１つを含み、選択されたＥ−ＤＣＨリソースの第２の部分は、第２のセクタに関連するフラクショナル専用物理チャネル（Ｆ−ＤＰＣＨ）、Ｅ−ＤＣＨハイブリッド自動再送要求（ＨＡＲＱ）インジケータチャネル（Ｅ−ＨＩＣＨ）、および／またはＥ−ＤＣＨ相対グラントチャネル（Ｅ−ＲＧＣＨ）の少なくとも１つを含む。一態様によれば、本方法は、第１のデータストリームと第２のデータストリームとを復調することと、基礎をなす生データを復元するために、復調された第１のデータストリームを第２のデータストリームとソフト結合することとをさらに備える。
【００１３】
別の特徴は、基地局の第１のセクタを介して基地局と通信するように適合された通信インターフェースと、通信インターフェースに通信可能に結合された処理回路であって、プリアンブルシグナチャパーティションリストを受信することと、基地局の第２のセクタがよりソフトなハンドオーバのために利用可能であると判断することと、第１のセクタと第２のセクタとに関連するよりソフトなハンドオーバ構成に対応するプリアンブルシグナチャパーティションリストからプリアンブルシグナチャを選択することと、非専用チャネル状態にある間に、プリアンブルシグナチャを含むよりソフトなハンドオーバ開始メッセージを送信することとを行うように適合された処理回路とを備えるユーザ機器を提供する。一態様によれば、本処理回路は、アップリンク送信を可能にするチャネルのチャネルコード情報を含むマルチセクタ共通拡張アップリンク専用チャネル（Ｅ−ＤＣＨ）システム情報リソースリストを受信するようにさらに適合され、チャネルコード情報は基地局の複数のセクタに関連付けられる。別の態様によれば、本処理回路は、よりソフトなハンドオーバ開始メッセージを送信することに応答して、基地局からマルチセクタＥ−ＤＣＨリソースインデックス値を受信するようにさらに適合される。さらに別の態様によれば、本処理回路は、マルチセクタＥ−ＤＣＨリソースインデックス値に基づいてマルチセクタ共通Ｅ−ＤＣＨシステム情報リソースリストからＥ−ＤＣＨリソースを選択することと、第１のセクタを介して、選択されたＥ−ＤＣＨリソースの第１の部分から第１のデータストリームを受信することと、第２のセクタを介して、選択されたＥ−ＤＣＨリソースの第２の部分から第２のデータストリームを受信することとを行うようにさらに適合される。別の態様によれば、本処理回路は、第１のデータストリームと第２のデータストリームとを復調することと、基礎をなす生データを復元するために、復調された第１のデータストリームを第２のデータストリームとソフト結合することとを行うようにさらに適合される。
【００１４】
別の特徴は、基地局の第１のセクタを介して基地局と通信するための手段と、プリアンブルシグナチャパーティションリストを受信するための手段と、基地局の第２のセクタがよりソフトなハンドオーバのために利用可能であると判断するための手段と、第１のセクタと第２のセクタとに関連するよりソフトなハンドオーバ構成に対応するプリアンブルシグナチャパーティションリストからプリアンブルシグナチャを選択するための手段と、非専用チャネル状態にある間に、プリアンブルシグナチャを含むよりソフトなハンドオーバ開始メッセージを送信するための手段とを備えるユーザ機器を提供する。一態様によれば、基地局の第２のセクタがよりソフトなハンドオーバのために利用可能であると判断するための手段は、第１のセクタから受信した第１の信号と第２のセクタから受信した第２の信号との間の電力レベル差が、あらかじめ定義されたしきい値よりも小さいと判断するための手段を備える。別の態様によれば、本ユーザ機器は、アップリンク送信を可能にするチャネルのチャネルコード情報を含むマルチセクタ共通拡張アップリンク専用チャネル（Ｅ−ＤＣＨ）システム情報リソースリストを受信するための手段をさらに備え、チャネルコード情報は基地局の複数のセクタに関連付けられる。さらに別の態様によれば、本ユーザ機器は、よりソフトなハンドオーバ開始メッセージを送信することに応答して、基地局からマルチセクタＥ−ＤＣＨリソースインデックス値を受信するための手段と、マルチセクタＥ−ＤＣＨリソースインデックス値に基づいてマルチセクタ共通Ｅ−ＤＣＨシステム情報リソースリストからＥ−ＤＣＨリソースを選択するための手段と、第１のセクタを介して、選択されたＥ−ＤＣＨリソースの第１の部分から第１のデータストリームを受信するための手段と、第２のセクタを介して、選択されたＥ−ＤＣＨリソースの第２の部分から第２のデータストリームを受信するための手段とをさらに備える。
【００１５】
別の特徴は、少なくとも１つのプロセッサによって実行されたとき、プロセッサに、基地局の第１のセクタを介して基地局と通信することと、プリアンブルシグナチャパーティションリストを受信することと、基地局の第２のセクタがよりソフトなハンドオーバのために利用可能であると判断することと、第１のセクタと第２のセクタとに関連するよりソフトなハンドオーバ構成に対応するプリアンブルシグナチャパーティションリストからプリアンブルシグナチャを選択することと、非専用チャネル状態にある間に、プリアンブルシグナチャを含むよりソフトなハンドオーバ開始メッセージを送信することとを行わせる１つまたは複数の命令を記憶した非一時的プロセッサ可読媒体を提供する。一態様によれば、基地局の第２のセクタがよりソフトなハンドオーバのために利用可能であると判断することをプロセッサに行わせる命令は、プロセッサに、第１のセクタから受信した第１の信号と第２のセクタから受信した第２の信号との間の電力レベル差が、あらかじめ定義されたしきい値よりも小さいと判断することをさらに行わせる。別の態様によれば、本命令は、プロセッサによって実行されたとき、プロセッサに、アップリンク送信を可能にするチャネルのチャネルコード情報を含むマルチセクタ共通拡張アップリンク専用チャネル（Ｅ−ＤＣＨ）システム情報リソースリストを受信することをさらに行わせ、チャネルコード情報は基地局の複数のセクタに関連付けられる。さらに別の態様によれば、本命令は、プロセッサによって実行されたとき、プロセッサに、よりソフトなハンドオーバ開始メッセージを送信することに応答して、基地局からマルチセクタＥ−ＤＣＨリソースインデックス値を受信することと、マルチセクタＥ−ＤＣＨリソースインデックス値に基づいてマルチセクタ共通Ｅ−ＤＣＨシステム情報リソースリストからＥ−ＤＣＨリソースを選択することと、第１のセクタを介して、選択されたＥ−ＤＣＨリソースの第１の部分から第１のデータストリームを受信することと、第２のセクタを介して、選択されたＥ−ＤＣＨリソースの第２の部分から第２のデータストリームを受信することとをさらに行わせる。
【００１６】
別の特徴は、基地局において動作可能なワイヤレス通信の方法であって、基地局の第１のセクタを介してユーザ機器（ＵＥ）と通信することと、プリアンブルシグナチャパーティションリストをブロードキャストすることと、ＵＥからプリアンブルシグナチャを含むよりソフトなハンドオーバ開始メッセージを受信することと、受信したプリアンブルシグナチャに基づいてプリアンブルシグナチャパーティションリストから、基地局の第１のセクタと第２のセクタとに関連するよりソフトなハンドオーバ構成を識別することとを備える方法を提供する。本開示の一態様によれば、第１のセクタはＵＥに対するサービングセクタであり、第２のセクタはＵＥに対する非サービングセクタである。別の態様によれば、よりソフトなハンドオーバ開始メッセージは、物理ランダムアクセスチャネル（ＰＲＡＣＨ）上で受信されるランダムアクセスメッセージである。さらに別の態様によれば、本方法は、無線ネットワークコントローラ（ＲＮＣ）からプリアンブルシグナチャパーティションリストを受信することをさらに備える。一態様によれば、本方法は、ＲＮＣからマルチセクタ共通拡張アップリンク専用チャネル（Ｅ−ＤＣＨ）システム情報リソースリストを受信することをさらに備える。別の態様によれば、本方法は、受信したプリアンブルシグナチャに基づいて、ＵＥが第１のセクタと第２のセクタとの内に位置すると判断することをさらに備える。
【００１７】
別の態様によれば、本方法は、ＵＥが非専用チャネル状態にある間に、第１のセクタと第２のセクタとに関連するよりソフトなハンドオーバ構成に関与することをＵＥが望むと判断することをさらに備える。一態様によれば、本方法は、アップリンク送信を可能にするチャネルのチャネルコード情報を含むマルチセクタ共通Ｅ−ＤＣＨシステム情報リソースリストをＵＥに送信することをさらに備え、チャネルコード情報は基地局の複数のセクタに関連付けられる。別の態様によれば、本方法は、よりソフトなハンドオーバ開始メッセージを受信することに応答して、ＵＥにマルチセクタＥ−ＤＣＨリソースインデックス値を送信することをさらに備える。さらに別の態様によれば、本方法は、第１のセクタを介して、マルチセクタＥ−ＤＣＨリソースインデックス値に対応する、Ｅ−ＤＣＨリソースの第１の部分上で第１のデータストリームを送信することと、第２のセクタを介して、マルチセクタＥ−ＤＣＨリソースインデックス値に対応する、Ｅ−ＤＣＨリソースの第２の部分上で第２のデータストリームを送信することとをさらに備える。一例によれば、基地局は、ノードＢまたは発展型ノードＢのうちの１つである。一態様によれば、第１のセクタと第２のセクタは両方とも同じキャリア周波数に関連付けられる。
【００１８】
別の特徴は、基地局の第１のセクタを介してユーザ機器（ＵＥ）と通信するように適合された通信インターフェースと、通信インターフェースに通信可能に結合された処理回路であって、プリアンブルシグナチャパーティションリストをブロードキャストすることと、受信したプリアンブルシグナチャに基づいてプリアンブルシグナチャパーティションリストから、基地局の第１のセクタと第２のセクタとに関連するよりソフトなハンドオーバ構成を識別することとを行うように適合された処理回路とを備える基地局を提供する。一態様によれば、本処理回路は、無線ネットワークコントローラ（ＲＮＣ）からプリアンブルシグナチャパーティションリストを受信することを行うようにさらに適合される。別の態様によれば、本処理回路は、ＲＮＣからマルチセクタ共通拡張アップリンク専用チャネル（Ｅ−ＤＣＨ）システム情報リソースリストを受信するようにさらに適合される。さらに別の態様によれば、本処理回路は、受信したプリアンブルシグナチャに基づいて、ＵＥが第１のセクタと第２のセクタとの内に位置すると判断するようにさらに適合される。
【００１９】
一態様によれば、本処理回路は、ＵＥが非専用チャネル状態にある間に、第１のセクタと第２のセクタとに関連するよりソフトなハンドオーバ構成に関与することをＵＥが望むと判断するようにさらに適合される。さらに別の態様によれば、本処理回路は、アップリンク送信を可能にするチャネルのチャネルコード情報を含むマルチセクタ共通Ｅ−ＤＣＨシステム情報リソースリストをＵＥに送信するようにさらに適合され、チャネルコード情報は基地局の複数のセクタに関連付けられる。さらに別の態様によれば、本処理回路は、よりソフトなハンドオーバ開始メッセージを受信することに応答して、ＵＥにマルチセクタＥ−ＤＣＨリソースインデックス値を送信するようにさらに適合される。さらに別の態様によれば、本処理回路は、第１のセクタを介して、マルチセクタＥ−ＤＣＨリソースインデックス値に対応する、Ｅ−ＤＣＨリソースの第１の部分上で第１のデータストリームを送信することと、第２のセクタを介して、マルチセクタＥ−ＤＣＨリソースインデックス値に対応する、Ｅ−ＤＣＨリソースの第２の部分上で第２のデータストリームを送信することとを行うようにさらに適合される。
【００２０】
別の特徴は、基地局の第１のセクタを介してユーザ機器（ＵＥ）と通信するための手段と、プリアンブルシグナチャパーティションリストをブロードキャストするための手段と、ＵＥからプリアンブルシグナチャを含むよりソフトなハンドオーバ開始メッセージを受信するための手段と、受信したプリアンブルシグナチャに基づいてプリアンブルシグナチャパーティションリストから、基地局の第１のセクタと第２のセクタとに関連するよりソフトなハンドオーバ構成を識別するための手段とを備える基地局を提供する。一態様によれば、本基地局は、無線ネットワークコントローラ（ＲＮＣ）からプリアンブルシグナチャパーティションリストを受信するための手段と、ＲＮＣからマルチセクタ共通拡張アップリンク専用チャネル（Ｅ−ＤＣＨ）システム情報リソースリストを受信するための手段とをさらに備える。別の態様によれば、本基地局は、受信したプリアンブルシグナチャに基づいて、ＵＥが第１のセクタと第２のセクタとの内に位置すると判断するための手段をさらに備える。別の態様によれば、本基地局は、ＵＥがＣｅｌｌ＿ＦＡＣＨ状態にある間に、第１のセクタと第２のセクタとに関連するよりソフトなハンドオーバ構成に関与することをＵＥが望むと判断するための手段をさらに備える。さらに別の態様によれば、本基地局は、アップリンク送信を可能にするチャネルのチャネルコード情報を含むマルチセクタ共通Ｅ−ＤＣＨシステム情報リソースリストをＵＥに送信するための手段をさらに備え、チャネルコード情報は基地局の複数のセクタに関連付けられる。さらに別の態様によれば、本基地局は、よりソフトなハンドオーバ開始メッセージを受信することに応答して、ＵＥにマルチセクタＥ−ＤＣＨリソースインデックス値を送信するための手段と、第１のセクタを介して、マルチセクタＥ−ＤＣＨリソースインデックス値に対応する、Ｅ−ＤＣＨリソースの第１の部分上で第１のデータストリームを送信するための手段と、第２のセクタを介して、マルチセクタＥ−ＤＣＨリソースインデックス値に対応する、Ｅ−ＤＣＨリソースの第２の部分上で第２のデータストリームを送信するための手段とをさらに備える。
【００２１】
別の特徴は、少なくとも１つのプロセッサによって実行されたとき、プロセッサに、基地局の第１のセクタを介してユーザ機器（ＵＥ）と通信することと、プリアンブルシグナチャパーティションリストをブロードキャストすることと、ＵＥからプリアンブルシグナチャを含むよりソフトなハンドオーバ開始メッセージを受信することと、受信したプリアンブルシグナチャに基づいてプリアンブルシグナチャパーティションリストから、基地局の第１のセクタと第２のセクタとに関連するよりソフトなハンドオーバ構成を識別することとを行わせる１つまたは複数の命令を記憶した非一時的プロセッサ可読媒体を提供する。一態様によれば、本命令は、プロセッサによって実行されたとき、プロセッサに、無線ネットワークコントローラ（ＲＮＣ）からプリアンブルシグナチャパーティションリストを受信することと、ＲＮＣからマルチセクタ共通拡張アップリンク専用チャネル（Ｅ−ＤＣＨ）システム情報リソースリストを受信することとをさらに行わせる。別の態様によれば、本命令は、プロセッサによって実行されたとき、プロセッサに、受信したプリアンブルシグナチャに基づいて、ＵＥが第１のセクタと第２のセクタとの内に位置すると判断することをさらに行わせる。さらに別の態様によれば、本命令は、プロセッサによって実行されたとき、プロセッサに、ＵＥがＣｅｌｌ＿ＦＡＣＨ状態にある間に、第１のセクタと第２のセクタとに関連するよりソフトなハンドオーバ構成に関与することをＵＥが望むと判断することをさらに行わせる。さらに別の態様によれば、本命令は、プロセッサによって実行されたとき、プロセッサに、アップリンク送信を可能にするチャネルのチャネルコード情報を含むマルチセクタ共通Ｅ−ＤＣＨシステム情報リソースリストをＵＥに送信することをさらに行わせ、チャネルコード情報は基地局の複数のセクタに関連付けられる。さらに別の態様によれば、本命令は、プロセッサによって実行されたとき、プロセッサに、よりソフトなハンドオーバ開始メッセージを受信することに応答して、ＵＥにマルチセクタＥ−ＤＣＨリソースインデックス値を送信することと、第１のセクタを介して、マルチセクタＥ−ＤＣＨリソースインデックス値に対応する、Ｅ−ＤＣＨリソースの第１の部分上で第１のデータストリームを送信することと、第２のセクタを介して、マルチセクタＥ−ＤＣＨリソースインデックス値に対応する、Ｅ−ＤＣＨリソースの第２の部分上で第２のデータストリームを送信することとをさらに行わせる。
【００２２】
別の特徴は、ネットワークノードにおいて動作可能なワイヤレス通信の方法であって、プリアンブルシグナチャ空間をグループに区分することであって、各グループが、基地局に関連する複数のセクタのうちの１つのセクタに対応する、区分することと、区分されたプリアンブルシグナチャ空間に基づいてプリアンブルシグナチャパーティションリストを生成することと、基地局にプリアンブルシグナチャパーティションリストを送信することとを備える方法を提供する。一態様によれば、本方法は、アップリンク送信を可能にするチャネルのチャネルコード情報を含むマルチセクタ共通拡張アップリンク専用チャネル（Ｅ−ＤＣＨ）システム情報リソースリストを生成することをさらに備え、チャネルコード情報は基地局の複数のセクタに関連付けられる。別の態様によれば、本方法は、基地局にマルチセクタ共通Ｅ−ＤＣＨシステム情報リソースリストを送信することをさらに備える。さらに別の態様によれば、本方法は、基地局と通信しているユーザ機器が、基地局に関連する複数のセクタのうちの２つ以上のセクタ間のよりソフトなハンドオーバに関与することを可能にすべきかどうかを判断するために使用される少なくとも１つのあらかじめ定義される電力しきい値を生成することをさらに備える。一態様によれば、第１のあらかじめ定義された電力しきい値は、ユーザ機器が、基地局に関連する複数のセクタのうちの第１のセットのセクタ間のよりソフトなハンドオーバに関与することを可能にすべきかどうかを判断し、第２のあらかじめ定義された電力しきい値は、ユーザ機器が、基地局に関連する複数のセクタのうちの第２の異なるセットのセクタ間のよりソフトなハンドオーバに関与することを可能にすべきかどうかを判断する。別の態様によれば、プリアンブルシグナチャパーティションリストは、基地局と通信しているユーザ機器が、基地局に関連する複数のセクタのうちの２つ以上のセクタ間のよりソフトなハンドオーバを実行することを可能にするように適合される。別の態様によれば、プリアンブルシグナチャパーティションリストは、ユーザ機器が、非専用チャネル状態でよりソフトなハンドオーバを実行することを可能にするようにさらに適合される。さらに別の態様によれば、ネットワークノードは無線ネットワークコントローラ（ＲＮＣ）または発展型ノードＢのうちの１つである。
【００２３】
別の特徴は、ネットワークに通信するように適合された通信インターフェースと、通信インターフェースに通信可能に結合された処理回路であって、プリアンブルシグナチャ空間をグループに区分することであって、各グループが、基地局に関連する複数のセクタのうちの１つのセクタに対応する、区分することと、区分されたプリアンブルシグナチャ空間に基づいてプリアンブルシグナチャパーティションリストを生成することと、基地局にプリアンブルシグナチャパーティションリストを送信することとを行うように適合された処理回路とを備えるネットワークノードを提供する。一態様によれば、本処理回路は、アップリンク送信を可能にするチャネルのチャネルコード情報を含むマルチセクタ共通拡張アップリンク専用チャネル（Ｅ−ＤＣＨ）システム情報リソースリストを生成するようにさらに適合され、チャネルコード情報は基地局の複数のセクタに関連付けられる。別の態様によれば、本処理回路は、基地局にマルチセクタ共通Ｅ−ＤＣＨシステム情報リソースリストを送信するようにさらに適合される。さらに別の態様によれば、本処理回路は、基地局と通信しているユーザ機器が、基地局に関連する複数のセクタのうちの２つ以上のセクタ間のよりソフトなハンドオーバに関与することを可能にすべきかどうかを判断するために使用される少なくとも１つのあらかじめ定義される電力しきい値を生成するようにさらに適合される。
【００２４】
別の特徴は、プリアンブルシグナチャ空間をグループに区分するための手段であって、各グループが、基地局に関連する複数のセクタのうちの１つのセクタに対応する、区分するための手段と、区分されたプリアンブルシグナチャ空間に基づいてプリアンブルシグナチャパーティションリストを生成するための手段と、基地局にプリアンブルシグナチャパーティションリストを送信するための手段とを備えるネットワークノードを提供する。一態様によれば、本ネットワークノードは、アップリンク送信を可能にするチャネルのチャネルコード情報を含むマルチセクタ共通拡張アップリンク専用チャネル（Ｅ−ＤＣＨ）システム情報リソースリストを生成するための手段であって、チャネルコード情報が基地局の複数のセクタに関連付けられる、生成するための手段と、基地局にマルチセクタ共通Ｅ−ＤＣＨシステム情報リソースリストを送信するための手段とをさらに備える。別の態様によれば、本ネットワークノードは、基地局と通信しているユーザ機器が、基地局に関連する複数のセクタのうちの２つ以上のセクタ間のよりソフトなハンドオーバに関与することを可能にすべきかどうかを判断するために使用される少なくとも１つのあらかじめ定義される電力しきい値を生成するための手段をさらに備える。
【００２５】
別の特徴は、少なくとも１つのプロセッサによって実行されたとき、プロセッサに、プリアンブルシグナチャ空間をグループに区分することであって、各グループが、基地局に関連する複数のセクタのうちの１つのセクタに対応する、区分することと、区分されたプリアンブルシグナチャ空間に基づいてプリアンブルシグナチャパーティションリストを生成することと、基地局にプリアンブルシグナチャパーティションリストを送信することとを行わせる１つまたは複数の命令を有する非一時的プロセッサ可読媒体を提供する。一態様によれば、本命令は、プロセッサによって実行されたとき、プロセッサに、アップリンク送信を可能にするチャネルのチャネルコード情報を含むマルチセクタ共通拡張アップリンク専用チャネル（Ｅ−ＤＣＨ）システム情報リソースリストを生成することであって、チャネルコード情報が基地局の複数のセクタに関連付けられる、生成することと、基地局にマルチセクタ共通Ｅ−ＤＣＨシステム情報リソースリストを送信することとをさらに行わせる。別の態様によれば、本命令は、プロセッサによって実行されたとき、プロセッサに、基地局と通信しているユーザ機器が、基地局に関連する複数のセクタのうちの２つ以上のセクタ間のよりソフトなハンドオーバに関与することを可能にすべきかどうかを判断するために使用される少なくとも１つのあらかじめ定義される電力しきい値を生成することをさらに行わせる。
【００２６】
本開示のこれらおよび他の態様は、以下の詳細な説明を検討すればより十分に理解されよう。
【図面の簡単な説明】
【００２７】
【図１】Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）システムを示す図。
【図２】無線アクセスネットワークの簡略図。
【図３】ユーザ機器と通信しているノードＢのブロック図。
【図４】３つのレイヤを有する通信プロトコルスタックを示す図。
【図５】３ＧＰＰリリース９９仕様に従うＵＴＲＡネットワークにおけるランダムアクセス手順を示す図。
【図６】無線アクセスネットワーク（ＲＡＮ）を示す図。
【図７】非専用チャネル状態で動作するＵＥのためによりソフトなハンドオーバを可能にするネットワーク環境の一部分を示す図。
【図８Ａ】ネットワーク環境に関連するマルチセクタ共通Ｅ−ＤＣＨシステム情報リソースリストを示す図。
【図８Ｂ】ネットワーク環境に関連するマルチセクタ共通Ｅ−ＤＣＨシステム情報リソースリストを示す図。
【図８Ｃ】ネットワーク環境に関連するマルチセクタ共通Ｅ−ＤＣＨシステム情報リソースリストを示す図。
【図９】１６個のプリアンブルシグナチャを含むプリアンブルシグナチャパーティションリストを示す図。
【図１０Ａ】Ｃｅｌｌ＿ＦＡＣＨなどの非専用状態にあるユーザ機器によるよりソフトなハンドオーバを可能にするためのプロセスのフローチャート。
【図１０Ｂ】Ｃｅｌｌ＿ＦＡＣＨなどの非専用状態にあるユーザ機器によるよりソフトなハンドオーバを可能にするためのプロセスのフローチャート。
【図１１Ａ】Ｃｅｌｌ＿ＦＡＣＨなどの非専用状態にあるユーザ機器によるよりソフトなハンドオーバを可能にするためのプロセスの図。
【図１１Ｂ】Ｃｅｌｌ＿ＦＡＣＨなどの非専用状態にあるユーザ機器によるよりソフトなハンドオーバを可能にするためのプロセスの図。
【図１１Ｃ】Ｃｅｌｌ＿ＦＡＣＨなどの非専用状態にあるユーザ機器によるよりソフトなハンドオーバを可能にするためのプロセスの図。
【図１２】非専用チャネル状態にある間によりソフトなハンドオーバを可能にするための、ユーザ機器において動作可能な方法を示す図。
【図１３】ユーザ機器が非専用チャネル状態にある間によりソフトなハンドオーバを可能にするための、基地局において動作可能な方法を示す図。
【図１４】ユーザ機器が非専用チャネル状態にある間によりソフトなハンドオーバを可能にするための、ネットワークノードにおいて動作可能な方法を示す図。
【図１５】ユーザ機器のためのハードウェア実装形態の概念ブロック図。
【図１６】基地局のためのハードウェア実装形態の概念ブロック図。
【図１７】ネットワークノードのためのハードウェア実装形態の概念ブロック図。
【発明を実施するための形態】
【００２８】
添付の図面に関して以下に示す発明を実施するための形態は、様々な構成を説明するものであり、本明細書で説明する概念が実施され得る唯一の構成を表すものではない。発明を実施するための形態は、様々な概念の完全な理解を与えるための具体的な詳細を含む。ただし、これらの概念はこれらの具体的な詳細なしに実施され得ることが当業者には明らかであろう。いくつかの例では、そのような概念を不明瞭にしないように、よく知られている構造および構成要素をブロック図の形式で示す。
【００２９】
本開示全体にわたって提示する様々な概念は、幅広い様々な電気通信システム、ネットワークアーキテクチャ、および通信規格にわたって実施され得る。次に図１を参照すると、限定はしないが例示的な例として、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）システム１００に関して本開示の様々な態様が示されている。ＵＭＴＳネットワークは、３つの対話ドメイン、コアネットワーク１０４と、無線アクセスネットワーク（ＲＡＮ）（例えば、ＵＭＴＳ地上波無線アクセスネットワーク（ＵＴＲＡＮ））１０２と、ユーザ機器（ＵＥ）１１０とを含む。ＵＴＲＡＮ１０２のために利用可能ないくつかのオプションの中で、この例では、図示されたＵＴＲＡＮ１０２は、電話、ビデオ、データ、メッセージング、ブロードキャストを含む様々なワイヤレスサービス、および／または他のサービスを可能にするためのＷ−ＣＤＭＡエアインターフェースを採用し得る。ＵＴＲＡＮ１０２は、各々無線ネットワークコントローラ（ＲＮＣ：Radio Network Controller）１０６などの該当ＲＮＣによって制御される、無線ネットワークサブシステム（ＲＮＳ：Radio Network Subsystem）１０７などの複数のＲＮＳを含み得る。ここで、ＵＴＲＡＮ１０２は、図示されたＲＮＣ１０６およびＲＮＳ１０７に加えて、任意の数のＲＮＣ１０６およびＲＮＳ１０７を含み得る。ＲＮＣ１０６は、特に、ＲＮＳ１０７内で無線リソースを割り当て、再構成し、解放することを担当する装置である。ＲＮＣ１０６は、任意の好適なトランスポートネットワークを使用して、直接物理接続、仮想ネットワークなど、様々なタイプのインターフェースを通してＵＴＲＡＮ１０２中の他のＲＮＣ（図示せず）と相互接続され得る。
【００３０】
ＲＮＳ１０７によってカバーされる地理的領域は、いくつかのセルに分割され得、無線トランシーバ装置が各セルをサービスし得る。無線トランシーバ装置は、ＵＭＴＳ適用例では一般にノードＢと呼ばれるが、当業者によって、基地局（ＢＳ：base station）、送受信基地局（ＢＴＳ：base transceiver station）、無線基地局、無線トランシーバ、トランシーバ機能、基本サービスセット（ＢＳＳ：basic service set）、拡張サービスセット（ＥＳＳ：extended service set）、アクセスポイント（ＡＰ：access point）、または何らかの他の好適な用語でも呼ばれることがある。明快のために、各ＲＮＳ１０７中に３つのノードＢ１０８が示されているが、ＲＮＳ１０７は任意の数のワイヤレスノードＢを含み得る。ノードＢ１０８は、任意の数のモバイル装置にコアネットワーク１０４へのワイヤレスアクセスポイントを与える。モバイル装置の例には、セルラーフォン、スマートフォン、セッション開始プロトコル（ＳＩＰ）フォン、ラップトップ、ノートブック、ネットブック、スマートブック、携帯情報端末（ＰＤＡ）、衛星無線、全地球測位システム（ＧＰＳ）デバイス、マルチメディアデバイス、ビデオデバイス、デジタルオーディオプレーヤ（例えば、ＭＰ３プレーヤ）、カメラ、ゲーム機、または任意の他の同様の機能デバイスがある。モバイル装置は、ＵＭＴＳ適用例では一般にユーザ機器（ＵＥ）と呼ばれるが、当業者によって、移動局（ＭＳ）、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末（ＡＴ）、モバイル端末、ワイヤレス端末、リモート端末、ハンドセット、端末、ユーザエージェント、モバイルクライアント、クライアント、または何らかの他の好適な用語でも呼ばれることがある。ＵＭＴＳシステムでは、ＵＥ１１０は、ネットワークへのユーザの加入情報を含んでいる汎用加入者識別モジュール（ＵＳＩＭ）１１１をさらに含み得る。説明のために、いくつかのノードＢ１０８と通信している１つのＵＥ１１０が示されている。順方向リンクとも呼ばれるダウンリンク（ＤＬ）はノードＢ１０８からＵＥ１１０への通信リンクを指し、逆方向リンクとも呼ばれるアップリンク（ＵＬ）はＵＥ１１０からノードＢ１０８への通信リンクを指す。
【００３１】
コアネットワーク１０４は、ＵＴＲＡＮ１０２などの１つまたは複数のアクセスネットワークとインターフェースできる。図示のように、コアネットワーク１０４はＵＭＴＳコアネットワークである。ただし、当業者なら認識するように、本開示全体にわたって提示する様々な概念は、ＵＭＴＳネットワーク以外のタイプのコアネットワークへのアクセスをＵＥに与えるために、ＲＡＮ、または他の好適なアクセスネットワークにおいて実装され得る。
【００３２】
図示されたＵＭＴＳコアネットワーク１０４は回線交換（ＣＳ：circuit-switched）ドメインとパケット交換（ＰＳ：packet-switched）ドメインとを含む。回線交換要素のいくつかは、モバイルサービス交換センター（ＭＳＣ：Mobile services Switching Centre）、ビジターロケーションレジスタ（ＶＬＲ：Visitor Location Register）、およびゲートウェイＭＳＣ（ＧＭＳＣ：Gateway MSC）である。パケット交換要素は、サービングＧＰＲＳサポートノード（ＳＧＳＮ：Serving GPRS Support Node）と、ゲートウェイＧＰＲＳサポートノード（ＧＧＳＮ：Gateway GPRS Support Node）とを含む。ＥＩＲ、ＨＬＲ、ＶＬＲおよびＡｕＣのような、いくつかのネットワーク要素は、回線交換ドメインとパケット交換ドメインの両方によって共有され得る。
【００３３】
図示の例では、コアネットワーク１０４は、ＭＳＣ１１２およびＧＭＳＣ１１４とともに回線交換サービスをサポートする。いくつかの適用例では、ＧＭＳＣ１１４はメディアゲートウェイ（ＭＧＷ）と呼ばれることがある。ＲＮＣ１０６などの１つまたは複数のＲＮＣはＭＳＣ１１２に接続され得る。ＭＳＣ１１２は、呼設定、呼ルーティング、およびＵＥモビリティ機能を制御する装置である。ＭＳＣ１１２はまた、ＵＥがＭＳＣ１１２のカバレージエリア中にある持続時間の間の加入者関係情報を含んでいるビジターロケーションレジスタ（ＶＬＲ）を含む。ＧＭＳＣ１１４は、ＵＥが回線交換ネットワーク１１６にアクセスするために、ＭＳＣ１１２を介したゲートウェイを与える。ＧＭＳＣ１１４は、特定のユーザが加入したサービスの詳細を反映するデータなどの加入者データを含んでいるホームロケーションレジスタ（ＨＬＲ：home location register）１１５を含む。また、ＨＬＲは、加入者固有の認証データを含んでいる認証センター（ＡｕＣ：authentication center）に関連付けられる。特定のＵＥのための呼が受信されると、ＧＭＳＣ１１４は、ＨＬＲ１１５に問い合わせてＵＥのロケーションを判断し、そのロケーションをサービスする特定のＭＳＣに呼をフォワーディングする。
【００３４】
図示されたコアネットワーク１０４は、サービングＧＰＲＳサポートノード（ＳＧＳＮ：serving GPRS support node）１１８およびゲートウェイＧＰＲＳサポートノード（ＧＧＳＮ：gateway GPRS support node）１２０とともにパケット交換データサービスをもサポートする。Ｇｅｎｅｒａｌ  Ｐａｃｋｅｔ  Ｒａｄｉｏ  Ｓｅｒｖｉｃｅ（ＧＰＲＳ）は、標準の回線交換データサービスで利用可能な速度よりも高い速度でパケットデータサービスを提供するように設計されている。ＧＧＳＮ１２０は、パケットベースネットワーク１２２へのＵＴＲＡＮ１０２のための接続を与える。パケットベースネットワーク１２２は、インターネット、プライベートデータネットワーク、または何らかの他の好適なパケットベースネットワークであり得る。ＧＧＳＮ１２０の主要機能は、ＵＥ１１０にパケットベースネットワーク接続性を与えることである。データパケットは、ＳＧＳＮ１１８を通してＧＧＳＮ１２０とＵＥ１１０との間で転送され得、ＳＧＳＮ１１８は、主に、ＭＳＣ１１２が回線交換ドメインで実行するのと同じ機能をパケットベースドメインで実行する。
【００３５】
ＵＴＲＡＮ１０２は、本開示に従って利用され得る無線アクセスネットワーク（ＲＡＮ）の一例である。図２を参照すると、限定はしないが、例として、ＵＴＲＡＮアーキテクチャ中のＲＡＮ２００の簡略図が示されている。システムは、その各々が１つまたは複数のセクタを含み得る、セル２０２、２０４、および２０６を含む、複数のセルラー領域（セル）を含む。セルは、（例えば、カバレージエリアによって）地理的に定義され得、および／または周波数、スクランブリングコードなどに従って定義され得る。すなわち、図示された地理的に定義されたセル２０２、２０４、および２０６は各々、例えば、異なるスクランブリングコードを利用することによって、複数のセルにさらに分割され得る。例えば、セル２０４ａは第１のスクランブリングコードを利用し得、セル２０４ｂは、同じ地理的領域にあり、同じノードＢ２４４によってサービスされる間、第２のスクランブリングコードを利用することによって区別され得る。
【００３６】
セクタに分割されたセルにおいて、セル内の複数のセクタはアンテナのグループによって形成され得、各アンテナは、セルの一部分におけるＵＥとの通信を担当する。例えば、セル２０２において、アンテナグループ２１２、２１４、および２１６は各々異なるセクタに対応し得る。セル２０４において、アンテナグループ２１８、２２０、および２２２は各々異なるセクタに対応し得る。セル２０６において、アンテナグループ２２４、２２６、および２２８は各々異なるセクタに対応し得る。
【００３７】
セル２０２、２０４、および２０６は、各セル２０２、２０４、または２０６の１つまたは複数のセクタと通信し得るいくつかのＵＥを含み得る。例えば、ＵＥ２３０および２３２はノードＢ２４２と通信し得、ＵＥ２３４および２３６はノードＢ２４４と通信し得、ＵＥ２３８および２４０はノードＢ２４６と通信し得る。ここで、各ノードＢ２４２、２４４、および２４６は、該当セル２０２、２０４、および２０６内の全てのＵＥ２３０、２３２、２３４、２３６、２３８、および２４０にコアネットワーク１０４（図１参照）へのアクセスポイントを与えるように構成され得る。さらに、３ＧＰＰ規格では、「セル」は、特定のキャリア周波数で動作するセクタと見なされ得る。
【００３８】
ソースセルとの通話中に、または、任意の他の時間に、ＵＥ２３６は、ソースセルの様々なパラメータ、ならびに近隣セルの様々なパラメータを監視し得る。さらに、これらのパラメータの品質に応じて、ＵＥ２３６は、近隣セルのうちの１つまたは複数との通信を維持し得る。この時間中に、ＵＥ２３６は、アクティブセット、すなわち、ＵＥ２３６が同時に接続されるセルのリストを維持し得る（すなわち、現在ＵＥ２３６にダウンリンク専用物理チャネル（ＤＰＣＨ：downlink dedicated physical channel）またはフラクショナルダウンリンク専用物理チャネル（Ｆ−ＤＰＣＨ：fractional downlink dedicated physical channel）を割り当てているＵＴＲＡＮセルはアクティブセットを構成し得る）。
【００３９】
ＵＴＲＡＮエアインターフェースは、Ｗ−ＣＤＭＡ規格を利用するものなど、スペクトラム拡散直接シーケンス符号分割多元接続（ＤＳ−ＣＤＭＡ：Direct-Sequence Code Division Multiple Access）システムであり得る。スペクトラム拡散ＤＳ−ＣＤＭＡは、チップと呼ばれる擬似ランダムビットのシーケンスによる乗算によって、ユーザデータを拡散する。ＵＴＲＡＮ102のためのＷ−ＣＤＭＡエアインターフェースは、そのようなＤＳ−ＣＤＭＡ技術に基づいており、さらに周波数分割複信（ＦＤＤ：frequency division duplexing）を必要とする。ＦＤＤは、ノードＢ１０８とＵＥ１１０との間のアップリンク（ＵＬ）およびダウンリンク（ＤＬ）に対して異なるキャリア周波数を使用する。ＤＳ−ＣＤＭＡを利用し、時分割複信（ＴＤＤ：time division duplexing）を使用する、ＵＭＴＳのための別のエアインターフェースは、ＴＤ−ＳＣＤＭＡエアインターフェースである。本明細書で説明する様々な例は、Ｗ−ＣＤＭＡエアインターフェースに言及することがあるが、基礎をなす原理は、ＴＤ−ＳＣＤＭＡエアインターフェースまたは任意の他の好適なエアインターフェースに等しく適用可能であることを、当業者は認識されよう。
【００４０】
図３は、例示的なＵＥ３５０と通信している例示的なノードＢ３１０のブロック図であり、ノードＢ３１０は図１のノードＢ１０８であり得、ＵＥ３５０は図１のＵＥ１１０であり得る。ダウンリンク通信では、送信プロセッサ３２０は、データソース３１２からデータを受信し、コントローラ／プロセッサ３４０から制御信号を受信し得る。送信プロセッサ３２０は、データおよび制御信号、ならびに基準信号（例えば、パイロット信号）のための様々な信号処理機能を提供する。例えば、送信プロセッサ３２０は、誤り検出のための巡回冗長検査（ＣＲＣ：cyclic redundancy check）コードと、前方誤り訂正（ＦＥＣ：forward error correction）を可能にするための符号化およびインターリービングと、様々な変調方式（例えば、２位相シフトキーイング（ＢＰＳＫ：binary phase-shift keying）、４位相シフトキーイング（ＱＰＳＫ：quadrature phase-shift keying）、Ｍ位相シフトキーイング（Ｍ−ＰＳＫ：M-phase-shift keying）、Ｍ直交振幅変調（Ｍ−ＱＡＭ：M-quadrature amplitude modulation）など）に基づく信号コンスタレーションへのマッピングと、直交可変拡散率（ＯＶＳＦ：orthogonal variable spreading factor）による拡散と、一連のシンボルを生成するためのスクランブリングコードによる乗算とを提供し得る。チャネルプロセッサ３４４からのチャネル推定値は、送信プロセッサ３２０のための符号化、変調、拡散、および／またはスクランブリング方式を判断するために、コントローラ／プロセッサ３４０によって使用され得る。これらのチャネル推定値は、ＵＥ３５０によって送信された基準信号から導出されるか、またはＵＥ３５０からのフィードバックから導出され得る。送信プロセッサ３２０によって生成されたシンボルは、フレーム構造を作成するために、送信フレームプロセッサ３３０に与えられる。送信フレームプロセッサ３３０は、それらのシンボルをコントローラ／プロセッサ３４０からの情報と多重化することによってこのフレーム構造を作成し、一連のフレームを生じる。それらのフレームは、次いで、送信機３３２に与えられ、送信機３３
２は、アンテナ３３４を通したワイヤレス媒体を介したダウンリンク送信のために、フレームを増幅し、フィルタリングし、キャリア上に変調することを含む、様々な信号調整機能を提供する。アンテナ３３４は、例えば、ビームステアリング双方向アダプティブアンテナアレイ、または、他の同様のビーム技術を含む、１つまたは複数のアンテナを含み得る。
【００４１】
ＵＥ３５０において、受信機３５４は、アンテナ３５２を通してダウンリンク送信を受信し、その送信を処理して、キャリア上に変調された情報を復元する。受信機３５４によって復元された情報は、受信フレームプロセッサ３６０に与えられ、受信フレームプロセッサ３６０は、各フレームを解析し、フレームからの情報をチャネルプロセッサ３９４に与え、データと、制御および基準信号とを受信プロセッサ３７０に与える。受信プロセッサ３７０は、次いで、ノードＢ３１０において送信プロセッサ３２０によって実行される処理の逆を実行する。より具体的には、受信プロセッサ３７０は、シンボルをデスクランブルおよび逆拡散し、次いで、変調方式に基づいて、ノードＢ３１０によって送信された、可能性が最も高い信号コンスタレーションポイントを判断する。これらの軟判定は、チャネルプロセッサ３９４によって計算されるチャネル推定値に基づき得る。軟判定は、次いで、データと、制御および基準信号とを復元するために、復号およびデインターリーブされる。次いで、フレームの復号に成功したかどうかを判断するためにＣＲＣコードがチェックされる。復号に成功したフレームによって搬送されたデータは、次いで、データシンク３７２に与えられることになり、データシンク３７２は、ＵＥ３５０内中で動作するアプリケーション、および／または様々なユーザインターフェース（ディスプレイ）を表す。復号に成功したフレームによって搬送された制御信号は、コントローラ／プロセッサ３９０に与えられることになる。受信プロセッサ３７０がフレームの復号に失敗すると、コントローラ／プロセッサ３９０はまた、それらのフレームについての再送信要求をサポートするために、肯定応答（ＡＣＫ）および／または否定応答（ＮＡＣＫ）プロトコルを使用し得る。
【００４２】
アップリンクでは、データソース３７８からのデータと、コントローラ／プロセッサ３９０からの制御信号とが、送信プロセッサ３８０に与えられる。データソース３７８は、ＵＥ３５０中で動作するアプリケーション、および様々なユーザインターフェース（例えば、キーボード）を表し得る。ノードＢ３１０によるダウンリンク送信に関して説明した機能と同様に、送信プロセッサ３８０は、ＣＲＣコードと、ＦＥＣを可能にするための符号化およびインターリービングと、信号コンスタレーションへのマッピングと、ＯＶＳＦを用いた拡散と、一連のシンボルを生成するためのスクランブリングとを含む、様々な信号処理機能を提供する。チャネルプロセッサ３９４によって、ノードＢ３１０によって送信された基準信号から、またはノードＢ３１０によって送信されたミッドアンブル中に含まれているフィードバックから導出されたチャネル推定値は、適切な符号化、変調、拡散および／またはスクランブリング方式を選択するために使用され得る。送信プロセッサ３８０によって生成されたシンボルは、フレーム構造を作成するために、送信フレームプロセッサ３８２に与えられることになる。送信フレームプロセッサ３８２は、それらのシンボルをコントローラ／プロセッサ３９０からの情報と多重化することによってこのフレーム構造を作成し、一連のフレームを生じる。それらのフレームは、次いで、送信機３５６に与えられ、送信機３５６は、アンテナ３５２を通したワイヤレス媒体を介したアップリンク送信のために、増幅と、フィルタリングと、キャリア上へのフレームの変調とを含む、様々な信号調整機能を提供する。
【００４３】
アップリンク送信は、ＵＥ３５０における受信機機能に関して説明した方法と同様の方法で、ノードＢ３１０において処理される。受信機３３５は、アンテナ３３４を通してアップリンク送信を受信し、この送信を処理して、キャリア上に変調された情報を復元する。受信機３３５によって復元された情報は、受信フレームプロセッサ３３６に与えられ、受信フレームプロセッサ３３６は、各フレームを解析し、フレームからの情報をチャネルプロセッサ３４４に与え、データと、制御および基準信号とを受信プロセッサ３３８に与える。受信プロセッサ３３８は、ＵＥ３５０において送信プロセッサ３８０によって実行される処理の逆を実行する。復号に成功したフレームによって搬送されたデータおよび制御信号は、次いで、それぞれデータシンク３３９およびコントローラ／プロセッサに与えられ得る。受信プロセッサがフレームの一部の復号に失敗した場合、コントローラ／プロセッサ３４０はまた、それらのフレームについての再送信要求をサポートするために、肯定応答（ＡＣＫ）および／または否定応答（ＮＡＣＫ）プロトコルを使用し得る。
【００４４】
コントローラ／プロセッサ３４０および３９０は、それぞれノードＢ３１０における動作およびＵＥ３５０における動作を指示するために使用され得る。例えば、コントローラ／プロセッサ３４０および３９０は、タイミング、周辺インターフェース、電圧調整、電力管理、および他の制御機能を含む様々な機能を提供し得る。メモリ３４２および３９２のコンピュータ可読媒体は、それぞれノードＢ３１０およびＵＥ３５０のためのデータとソフトウェアとを記憶し得る。ノードＢ３１０におけるスケジューラ／プロセッサ３４６は、リソースをＵＥに割り振るために、ならびにＵＥのためのダウンリンクおよび／またはアップリンク送信をスケジュールするために使用され得る。
【００４５】
ワイヤレス電気通信システムでは、通信プロトコルアーキテクチャは、特定の適用例に応じて様々な形態をとり得る。例えば、３ＧＰＰ  ＵＭＴＳシステムでは、シグナリングプロトコルスタックは、非アクセス層（ＮＡＳ：Non-Access Stratum）とアクセス層（ＡＳ：Access Stratum）とに分割される。ＮＡＳは、ＵＥとコアネットワークとの間のシグナリングのために上位レイヤを与え、回線交換プロトコルとパケット交換プロトコルとを含み得る。ＡＳは、ＵＴＲＡＮとＵＥとの間のシグナリングのために下位レイヤを与え、ユーザプレーンと制御プレーンとを含み得る。ここで、ユーザプレーンまたはデータプレーンはユーザトラフィックを搬送し、一方、制御プレーンは制御情報（すなわち、シグナリング）を搬送する。
【００４６】
図４を参照すると、ＡＳは、レイヤ１と、レイヤ２と、レイヤ３との３つのレイヤとともに示されている。レイヤ１は最下位レイヤであり、様々な物理レイヤ信号処理機能を実装する。レイヤ１を本明細書では物理レイヤ４０６と呼ぶ。レイヤ２と呼ばれるデータリンクレイヤ４０８は、物理レイヤ４０６の上にあり、物理レイヤ４０６を介したＵＥとノードＢとの間のリンクを担当する。レイヤ３において、ＲＲＣレイヤ４１６は、ＵＥとＵＴＲＡＮとの間の制御プレーンシグナリングを処理する。ＲＲＣレイヤ４１６は、上位レイヤメッセージをルーティングすること、ブロードキャスト機能およびページング機能を処理すること、無線ベアラを確立し、構成することなどのためのいくつかの機能エンティティを含む。
【００４７】
ＲＲＣレイヤ４１６によって判断されるように、ＵＥは、いくつかのＲＲＣ状態のうちの１つにあり得る。ＲＲＣ状態は、アイドルモードと接続モードとを含む。アイドルモードは、エネルギー消費量が最も低く、一方、接続モードは、ＵＲＡ＿ＰＣＨ、Ｃｅｌｌ＿ＰＣＨ、およびＣｅｌｌ＿ＦＡＣＨなど、いくつかの中間レベルの待機状態を含む。ＲＲＣ接続モードはＣｅｌｌ＿ＤＣＨ状態をさらに含み、Ｃｅｌｌ＿ＤＣＨ状態では、データ送信のレートを最高にするために専用チャネルが与えられる。ＵＥは、ＵＥが非アクティブのとき、呼または接続アクティビティに応じてそれのＲＲＣ状態を変更し、次第に低い状態に入ることができる。それらの待機状態は、ネットワーク容量、呼セットアップ時間、バッテリー時間、およびデータ速度などのファクタ間の異なるトレードオフを与える。アイドル状態は、バッテリー電力を節約するが、ワイヤレス接続性をほとんど与えない。
【００４８】
図示されたエアインターフェースでは、Ｌ２レイヤ４０８はサブレイヤに分割される。制御プレーンにおいて、Ｌ２レイヤ４０８は、媒体アクセス制御（ＭＡＣ：medium access control）サブレイヤ４１０と無線リンク制御（ＲＬＣ：radio link control）サブレイヤ４１２との２つのサブレイヤを含む。ユーザプレーンでは、Ｌ２レイヤ４０８は、パケットデータコンバージェンスプロトコル（ＰＤＣＰ：packet data convergence protocol）サブレイヤ４１４をさらに含む。図示されていないが、ＵＥは、ネットワーク側のＰＤＮゲートウェイにおいて終端されるネットワークレイヤ（例えば、ＩＰレイヤ）と、接続の他端（例えば、ファーエンドＵＥ、サーバなど）において終端されるアプリケーションレイヤとを含むＬ２レイヤ４０８の上にいくつかの上位レイヤを有し得る。ＰＤＣＰサブレイヤ４１４は、異なる無線ベアラと論理チャネルとの間で多重化を行う。ＰＤＣＰサブレイヤ４１４はまた、無線送信オーバーヘッドを低減するために上位レイヤデータパケットのヘッダ圧縮と、データパケットを暗号化することによるセキュリティと、ＵＥに対するノードＢ間のハンドオーバサポートとを与える。
【００４９】
ＲＬＣサブレイヤ４１２は、概して、データ転送のために、（誤り訂正のために確認応答および再送信処理が使用され得る）確認応答モード（ＡＭ：acknowledged mode）と、非確認応答モード（ＵＭ：unacknowledged mode）と、透過モードとをサポートし、ＭＡＣレイヤにおけるハイブリッド自動再送要求（ＨＡＲＱ：hybrid automatic repeat request）によって順が狂った受信を補正するために上位レイヤデータパケットのセグメンテーションおよび再統合とデータパケットの並べ替えとを行う。確認応答モードでは、ＲＮＣおよびＵＥなどのＲＬＣピアエンティティは、特に、ＲＬＣデータプロトコルデータユニット（ＰＤＵ：protocol data unit）と、ＲＬＣステータスＰＤＵと、ＲＬＣリセットＰＤＵとを含む様々なＲＬＣ  ＰＤＵを交換し得る。本開示では、「パケット」という用語は、ＲＬＣピアエンティティ間で交換される任意のＲＬＣ  ＰＤＵを指すことがある。ＭＡＣサブレイヤ４１０は、論理チャネルとトランスポートチャネルとの間の多重化を行う。ＭＡＣサブレイヤ４１０はまた、ＵＥの間で１つのセル内の様々な無線リソース（例えば、リソースブロック）を割り振ることを担当する。ＭＡＣサブレイヤ４１０はまたＨＡＲＱ動作を担当する。
【００５０】
高速パケットアクセス（ＨＳＰＡ）エアインターフェースは、ＵＥ１１０とＵＴＲＡＮ１０２との間の３Ｇ／Ｗ−ＣＤＭＡエアインターフェース（図１再参照）に対する一連の強化を含み、より大きいスループットを可能にし、ユーザのレイテンシを低減する。以前の規格の他の変更の中でも、ＨＳＰＡは、ハイブリッド自動再送要求（ＨＡＲＱ）と、共有チャネル送信と、適応変調コーディングとを利用する。ＨＳＰＡを定義する規格には、ＨＳＤＰＡ（高速ダウンリンクパケットアクセス（high speed downlink packet access））、およびＨＳＵＰＡ（拡張アップリンクまたはＥＵＬ（enhanced uplink）とも呼ばれる、高速アップリンクパケットアクセス（high speed uplink packet access））がある。３ＧＰＰリリース５仕様は、ＨＳＤＰＡと呼ばれるダウンリンク強化を導入した。３ＧＰＰリリース６仕様は、拡張アップリンク（ＥＵＬ）または高速アップリンクパケットアクセス（ＨＳＵＰＡ）と呼ばれるアップリンク強化を導入した。ＥＵＬは、それのトランスポートチャネルとして、ＥＵＬ専用チャネル（Ｅ−ＤＣＨ：EUL Dedicated Channel）を利用する。Ｅ−ＤＣＨは、リリース９９ＤＣＨとともにアップリンクで送信される。
【００５１】
Ｅ−ＤＣＨは、Ｅ−ＤＣＨ専用物理データチャネル（Ｅ−ＤＰＤＣＨ：E-DCH Dedicated Physical Data Channel）とＥ−ＤＣＨ専用物理制御チャネル（Ｅ−ＤＰＣＣＨ：E-DCH Dedicated Physical Control Channel）とを含む物理チャネルによって実装される。さらに、ＨＳＵＰＡは、フラクショナル専用物理チャネル（Ｆ−ＤＰＣＨ：Fractional Dedicated Physical Channel）と、Ｅ−ＤＣＨハイブリッド自動再送要求（ＨＡＲＱ）インジケータチャネル（Ｅ−ＨＩＣＨ：E-DCH Hybrid Automatic Repeat Request (HARQ) Indicator Channel）と、Ｅ−ＤＣＨ絶対グラントチャネル（Ｅ−ＡＧＣＨ：E-DCH Absolute Grant Channel）と、Ｅ−ＤＣＨ相対グラントチャネル（Ｅ−ＲＧＣＨ：E-DCH Relative Grant Channel）とを含む追加の物理チャネルに依拠する。
【００５２】
例えば、Ｆ−ＤＰＣＨは、電力制御コマンドを搬送し得る。Ｆ−ＤＰＣＨは、ＤＣＨのためのダウンリンクコード空間を予約する必要を低減することを目的とし、パケット交換サービスが使用中であるときに使用されるものである。Ｅ−ＨＩＣＨは、ダウンリンク方向では、パケットがアップリンクでノードＢによって正しく受信されたかどうかを示す。Ｅ−ＲＧＣＨの機能は、スケジューラ決定に基づいてアップリンク送信レートを増加するか、あるいは減少することである。送信された相対グラントは、使用されるべき利得係数を効果的に制御し、次いで、実際には、デバイスに許可された１つまたは複数の特定のデータレートにマッピングする。
【００５３】
上記で説明したように、ＵＭＴＳネットワーク中のＵＥのＲＲＣ状態のうちの１つはＣｅｌｌ＿ＦＡＣＨと呼ばれる。Ｃｅｌｌ＿ＦＡＣＨでは、ＵＥは、順方向アクセスチャネル（ＦＡＣＨ：forward access channel）を連続的に監視する。Ｃｅｌｌ＿ＦＡＣＨは、ダウンリンク上で比較的少量のデータを送信するために使用され得る。さらに、Ｃｅｌｌ＿ＦＡＣＨには、ＵＥに割り振られる専用物理チャネルがないことがある。Ｃｅｌｌ＿ＦＡＣＨ内では、アップリンク送信は、以下で説明するように、ランダムアクセス手順に従うＵＥによって許可される。
【００５４】
ＵＥがＣｅｌｌ＿ＦＡＣＨ状態にある間に開始され得る従来のランダムアクセス手順は、ＵＥ３５０およびノードＢ３１０のＭＡＣエンティティ４１０によって広く管理され得る。以下で説明するように、ランダムアクセス手順は、特に、ブロードキャストチャネル（ＢＣＨ：broadcast channel）、ランダムアクセスチャネル（ＲＡＣＨ：random access channel）、および取得インジケータチャネル（ＡＩＣＨ：acquisition indicator channel）を含むチャネルを利用する。
【００５５】
ＢＣＨは、リスニング範囲中の任意のモバイルを対象とするブロードキャスト情報を搬送する、ノードＢ３１０によって送信されるトランスポートチャネルである。ブロードキャスト情報は、特定のセルに固有のものであり得るか、またはネットワークに関するものであり得る。情報の中でも、ブロードキャスト情報は、利用可能なＲＡＣＨサブチャネルおよび利用可能なスクランブリングコードのリストとＲＡＣＨ用のシグナチャとを含み得る。
【００５６】
ＲＡＣＨは、アクセス試行を搬送し、ネットワークとの呼を開始すること、電源投入した後にネットワークに端末を登録すること、および／または１つのロケーションから別のロケーションに移動した後にロケーション更新を実行することを行うためにＵＥ３５０によって概して使用されるトランスポートチャネルである。すなわち、ＲＡＣＨは、共通アップリンクシグナリングメッセージを与え、また、Ｃｅｌｌ＿ＦＡＣＨ状態で動作するＵＥからの専用アップリンクシグナリングとユーザ情報とを搬送し得る。物理レイヤにおいて、ＲＡＣＨは、物理ランダムアクセスチャネル（ＰＲＡＣＨ）にマッピングする。
【００５７】
アップリンクＰＲＡＣＨは、登録中のＵＥ３５０または呼を発信したノードＢ３１０によって送信されたＲＡＣＨ情報を搬送する。ＰＲＡＣＨは、プリアンブル部分とメッセージ部分とから構成される。メッセージ部分を送信する前に、ＰＲＡＣＨはプリアンブル部分を送信する。ＰＲＡＣＨプリアンブルは、１６チップの長さを有するプリアンブルシグナチャを含むプリアンブルシグナチャシーケンスからなる。プリアンブルシグナチャは、４０９６チップの長さを有するＰＲＡＣＨプリアンブルシグナチャシーケンスを生じる２５６の拡散率を有する拡散シーケンスで拡散される。すなわち、プリアンブルシグナチャシーケンスは、２５６回繰り返されるプリアンブルシグナチャからなる。ＵＥがそれのＰＲＡＣＨプリアンブルのために使用できる最大１６個の利用可能なプリアンブルシグナチャがある。
【００５８】
取得インジケータチャネル（ＡＩＣＨ）は、アクセス試行の受信を示すために、ノードＢ３１０によって送信される。すなわち、基地局がＰＲＡＣＨプリアンブルを検出すると、ノードＢ３１０は、概して、ＰＲＡＣＨ上で使用されるのと同じシグナチャシーケンスを含むＡＩＣＨを送信する。ＡＩＣＨは、概して、受信したアクセス試行の受入れまたは拒否をそれぞれ示す肯定応答（ＡＣＫ）または否定応答（ＮＡＣＫ）を含み得る取得インジケータ（ＡＩ：acquisition indicator）と呼ばれる情報要素を含む。ＡＩＣＨは、以下でさらに詳細に説明するように、肯定応答または否定応答に加えてＵＥにリソース割振り情報を与えるための拡張取得インジケータ（Ｅ−ＡＩ：extended acquisition indicator）をさらに含み得る。
【００５９】
図５に、３ＧＰＰリリース９９仕様（本明細書ではＲｅｌ−９９と呼ぶ）に従うＵＴＲＡネットワークにおける典型的なランダムアクセス手順を示す。ここで、ランダムアクセス手順は、利用可能なＲＡＣＨサブチャネルと、それらのスクランブリングコードおよびプリアンブルシグナチャとを判断するために、ＵＥ３５０がＢＣＨを復号して開始する。ＵＥ３５０は、次いで、ＵＥが使用を許可されたサブチャネルのグループの中からＲＡＣＨサブチャネルのうちの１つをランダムに選択し得る。プリアンブルシグナチャはまた、利用可能なプリアンブルシグナチャの中からランダムに選択され得る。
【００６０】
図５を参照すると、ＰＲＡＣＨ電力レベルを設定した後、ＵＥ３５０は、選択されたスクランブリングコードとプリアンブルシグナチャとを用いてＰＲＡＣＨプリアンブル５０２を送信する。図示の例では、そのＰＲＡＣＨプリアンブルは２つの送信を含み、各送信での電力のランピングは、ネットワークによって肯定応答されない。ＰＲＡＣＨプリアンブル５０２が検出されると、ノードＢ３１０は、ＡＩＣＨ上で否定応答を示す取得インジケータ（ＡＩ）５０４で応答し得る。ここで、ＵＥ３５０は、それの送信を停止し、選択されたバックオフ期間に等しい待ち時間５０６の間待った後に、（持続性値に対応するアクセス試行の数が枯渇していない場合）後で再び再試行する。待った後、ＵＥ３５０の持続性値に従って許可された試行の数が枯渇していない場合、ＵＥ３５０は、ＰＲＡＣＨ上で後続のＰＲＡＣＨプリアンブル５０８を送信し得る。この事例では、アクセス試行は、ＡＩＣＨ上でノードＢ３１０によって送信された肯定応答を示す別の取得インジケータ５１０と出会う。ここで、ＡＩＣＨは、ＵＥによって送信された同じプリアンブルシグナチャシーケンスを含む。ＵＥ３５０は、ＡＩＣＨ肯定応答を検出すると、ＲＡＣＨ送信のメッセージ部分５１２を送信し得る。すなわち、レガシーＲｅｌ−９９  ＵＥがＣｅｌｌ＿ＦＡＣＨ状態にあるとき、アップリンクデータは、比較的低いデータレートでＲｅｌ−９９  ＰＲＡＣＨメッセージを利用して送信され得る。
【００６１】
このＲｅｌ−９９  ＰＲＡＣＨメッセージは、少量のユーザデータをシグナリングするために有用であり得る。しかしながら、Ｒｅｌ−９９  ＰＲＡＣＨのデータレートは、一般に、１０ｋｂｐｓを下回るので、Ｃｅｌｌ＿ＦＡＣＨ状態でＨＳＰＡトランスポートおよび物理チャネルの使用を可能にすることはパフォーマンスを改善することになる。このおよび他の理由のために、より最近の仕様が拡張ＲＡＣＨを導入した。リリース８仕様において定義されている拡張ＲＡＣＨにより、Ｃｅｌｌ＿ＦＡＣＨにある間にＵＥがアップリンク送信のためにＥ−ＤＣＨリソースを利用することが可能になる。Ｅ−ＤＣＨ上での送信は、送信を行うのにより大量の電力が必要とされるが、Ｒｅｌ−９９  ＰＲＡＣＨメッセージを利用して利用可能な送信よりもデータレートが高くなる。
【００６２】
拡張ＲＡＣＨを使用可能にするために、上記で説明し、図５に示したランダムアクセス手順のいくつかの態様が変更される。例えば、Ｃｅｌｌ＿ＦＡＣＨで使用されるべきＥ−ＤＣＨリソースは、共通Ｅ−ＤＣＨシステム情報リソースリストとしてＢＣＨ上でセルおよび／またはセクタ中の全てのＵＥにブロードキャストされる。拡張ＲＡＣＨが可能であるＵＥは、後続のアクセス試行のためにこのリソースリストを利用できる。
【００６３】
拡張ＲＡＣＨが可能なＵＥでは、ＰＲＡＣＨプリアンブル５０２、５０８の送信は、ＵＥがＥ−ＤＣＨ送信を送信しようとすることを示すように構成されたプリアンブルシグナチャを含む。それに応答して、ノードＢは、ＵＥに割り振られたＥ−ＤＣＨリソースを示すためにリソースインデックス値を含む対応するＡＩ（５０４、５１０）またはＥ−ＡＩを送信し得る。ここで、Ｅ−ＡＩは、リリース８または３ＧＰＰ  ＴＳ  ２５．２１４を含む後の３ＧＰＰ仕様に従って、Ｃｅｌｌ＿ＦＡＣＨ状態でのアップリンク送信に利用するためにＵＥにＥ−ＤＣＨリソース構成情報を与え得る拡張取得インジケータである。従って、上記で説明したようにＲＡＣＨメッセージ５１２を送信するのではなく、拡張ＲＡＣＨでは、ＵＥは、ＡＩＣＨ送信においてＵＥにとって利用可能であると示されたＥ−ＤＣＨリソースを利用してアップリンクデータを送信する。
【００６４】
図６に、本開示の一態様による、例示的な無線アクセスネットワーク（ＲＡＮ）６００を示す。ＲＡＮ６００は、例えば、構成要素の中でも、無線ネットワークコントローラ（ＲＮＣ）６０２と、複数のリモートラジオヘッド（ＲＲＨ）６０６、６０８、６１０を有する分散基地局（例えば、ＵＭＴＳノードＢ、発展型ノードＢ（ｅノードＢ）、送受信基地局など）６０４とを含み得るＵＭＴＳ地上波無線アクセスネットワーク（ＵＴＲＡＮ）であり得る。ＲＮＣ６０２は、分散基地局６０４に通信可能に結合されたネットワークノードである。各ＲＲＨ６０６、６０８、６１０は、複数のＵＥ（図６に図示せず）に信号カバレージを与えるために、基地局６０４に通信可能に結合される。本開示の一態様では、ＲＮＣ６０２および基地局６０４は、Ｌｏｎｇ  Ｔｅｒｍ  Ｅｖｏｌｕｔｉｏｎ（ＬＴＥ）ｅノードＢなどの単一のネットワークノード内に含まれ得る。
【００６５】
図７に、本開示の一態様による、Ｃｅｌｌ＿ＦＡＣＨなどの非専用チャネル状態で動作するＵＥのためによりソフトなハンドオーバを可能にする例示的なネットワーク環境７００の一部分を示す。ネットワーク環境７００は、図６に示したＲＡＮ６００と、ＲＡＮ６００を介してネットワーク中の他のＵＥ（図示せず）と通信するＵＥ７０２とを含む。第１のＲＲＨ６０６はセクタＡ内のネットワーク信号カバレージを与え、第２のＲＲＨ６０８はセクタＢ内のカバレージを与え、第３のＲＲＨ６１０はセクタＣ内のカバレージを与える。
【００６６】
図示の例では、セクタＡ、Ｂ、およびＣは互いに重複して、ＵＥが同時に２または３つのＲＲＨ６０６、６０８、６１０を通してネットワーク接続性を取得し得るゾーンを作成する。例えば、セクタＡとセクタＢとの間の重複（本明細書では「セクタＡ−Ｂ」と呼ばれる）は、第１のＲＲＨ６０６、第２のＲＲＨ６０８、または同時にＲＲＨ６０６とＲＲＨ６０８の両方を通してＵＥにネットワーク接続性を与える。同様に、セクタＡとセクタＣとの間の重複（本明細書では「セクタＡ−Ｃ」と呼ばれる）は、第１のＲＲＨ６０６、第３のＲＲＨ６１０、または同時にＲＲＨ６０６とＲＲＨ６１０の両方を通してＵＥにネットワーク接続性を与える。セクタＢとセクタＣとの間の重複（本明細書では「セクタＢ−Ｃ」と呼ばれる）は、第２のＲＲＨ６０８、第３のＲＲＨ６１０、または同時にＲＲＨ６０８とＲＲＨ６１０の両方を通してＵＥにネットワーク接続性を与える。最後に、セクタＡとセクタＢとセクタＣとの間の重複（本明細書では「セクタＡ−Ｂ−Ｃ」と呼ばれる）は、第１のＲＲＨ６０６、第２のＲＲＨ６０８、第３のＲＲＨ６１０、または同時にＲＲＨ６０６とＲＲＨ６０８とＲＲＨ６１０との任意の組合せを通してＵＥにネットワーク接続性を与える。図示の例では、セクタＡ、Ｂ、およびＣは同じキャリア周波数で動作し得る（すなわち、それらは同じキャリア周波数に関連付けられる）。しかしながら、本開示の他の態様によれば、セクタＡ、Ｂ、およびＣは同じキャリア周波数で動作する必要はない。
【００６７】
ただ１つの例として、ＵＥ７０２が時間ｔ0にセクタＢ内に位置するように示され、次いでしばらくして、時間ｔ1にＵＥ６１２がセクタＢ−Ｃ内に移動する。ＵＥ７０２は、セクタＢ−Ｃ内にあると、よりソフトなハンドオーバに参加することによって干渉を緩和することを望むことがあり、従って、第２のＲＲＨ６０８と第３のＲＲＨ６１０の両方を通してネットワーク環境７００に接続される。特に、ＵＥ７０２は、Ｃｅｌｌ＿ＦＡＣＨなどの非専用チャネル状態にあるにもかかわらず、よりソフトなハンドオーバに関与することを望むことがある。
【００６８】
図８Ａ、図８Ｂ、および図８Ｃに、ネットワーク環境７００に関連する例示的なマルチセクタ共通Ｅ−ＤＣＨシステム情報リソースリスト８００を示す。リソースリスト８００は、特に、基地局６０４の特定のセクタ内の対応するリソースインデックス値のために使用されるべき、プライマリスクランブリングコードのためのチャネルコード、Ｆ−ＤＰＣＨ、Ｅ−ＨＩＣＨ、Ｅ−ＲＧＣＨを含み得る。図示の例では、リソースリスト８００は、各々が基地局６０４の７つのセクタのうちの１つに対応する７つのテーブルを含む。テーブル８０２は、ＵＥ７０２がセクタＡ内だけにある場合に使用されるべきチャネルコード値に対応する。同様に、別のテーブル８０４は、ＵＥ７０２がセクタＢ内だけにある場合に使用されるべきチャネルコードを指定し、テーブル８０６は、ＵＥ７０２がセクタＣ内だけにある場合のチャネルコードを指定する。テーブル８０８は、ＵＥ７０２がセクタＡとセクタＢの両方の信号カバレージ内にある場合に使用されるべきチャネルコードを指定し、これらのセクタとのよりソフトなハンドオーバに関与する。従って、テーブル８０８に、セクタＡのために使用されるべきＰＳＣ、Ｆ−ＤＰＣＨ、Ｅ−ＨＩＣＨ、Ｅ−ＲＧＣＨチャネルコードと、それとは別にセクタＢのために使用されるべきそれらのチャネルコードとを記載する。単一のリソースインデックス値は、セクタＡとセクタＢの両方のために使用されるべきチャネルコードを指し得る。テーブル８０８と同様に、テーブル８１０およびテーブル８１２は、それぞれ、ＵＥ７０２がセクタＡおよびＣの信号カバレージ内にある場合、ならびにセクタＢおよびＣの信号カバレージ内にある場合に使用されるべきチャネルコードを指定する。テーブル８１４は、ＵＥ７０２が全ての３つのセクタＡ、Ｂ、およびＣの信号カバレージ内にある場合に使用されるべきチャネルコードを指定し、これらのセクタとのよりソフトなハンドオーバに関与する。図６および図８にそれぞれ示したセクタおよびテーブルの数は例にすぎないことが諒解されよう。他のＲＲＨ展開は、より多いまたはより少ないセクタおよび異なるリソースリストを生じ得る。
【００６９】
一例として図８Ｂを参照すると、テーブル８０８のリソースインデックス値０は、セクタＡおよびＢにおいて使用されるべきＰＳＣチャネルコードが、それぞれ９および１４であることと、セクタＡおよびＢにおいて使用されるべきＦ−ＤＰＣＨコードが、それぞれ１６および９であることと、セクタＡおよびＢにおいて使用されるべきＥ−ＨＩＣＨコードが、それぞれ１２２および９２であることと、セクタＡおよびＢにおいて使用されるべきＥ−ＲＧＣＨコードが、それぞれ４８および４２であることとを示す。図示されたリソースリスト８００は一例にすぎず、異なるチャネルコード値を有する多数の他のリソースリストが本開示で意図される。例えば、他のリソースリストは、ＰＳＣ、Ｆ−ＤＰＣＨ、Ｅ−ＨＩＣＨ、およびＥ−ＲＧＣＨに限定されない追加のチャネル情報を含み得る。
【００７０】
上記で説明したように、ランダムアクセス手順を開始するときにＵＥによって使用され得る１６個の一意のＰＲＡＣＨアップリンクプリアンブルシグナチャがある。図９に、１６個のプリアンブルシグナチャを含むプリアンブルシグナチャパーティションリスト９００を示す。パーティションリスト９００は、各プリアンブルシグナチャが基地局６０４の特定のセクタに対応するように、プリアンブルシグナチャをセクタグループに分割する。パーティションリスト９００は、ランダムアクセス手順がネットワーク７００においてＵＥによって開始される前に、ＲＮＣ６０２によって生成され、基地局６０４とＵＥ７０２とに配信される事前構成されたリストであり得る。
【００７１】
図示の例では、パーティションリスト９００は、プリアンブルシグナチャ０および１が、セクタＡ内だけにあるＵＥによるランダムアクセス試行に対応することと、プリアンブルシグナチャ２および３が、セクタＢ内だけにあるＵＥによるランダムアクセス試行に対応することと、プリアンブルシグナチャ４および５が、セクタＣ内だけにあるＵＥによるランダムアクセス試行に対応することと、プリアンブルシグナチャ６、７、および８が、セクタＡおよびＢ（すなわち、セクタＡ−Ｂ）内だけにあるＵＥによるランダムアクセス試行に対応することと、プリアンブルシグナチャ９および１０が、セクタＡおよびＣ（すなわち、セクタＡ−Ｃ）内だけにあるＵＥによるランダムアクセス試行に対応することと、プリアンブルシグナチャ１１、１２、および１３が、セクタＢおよびＣ（すなわち、セクタＢ−Ｃ）内だけにあるＵＥによるランダムアクセス試行に対応することと、プリアンブルシグナチャ１４および１５が、セクタＡ、Ｂ、およびＣ（すなわち、セクタＡ−Ｂ−Ｃ）内だけにあるＵＥによるランダムアクセス試行に対応することとを示す。図９に示すパーティションリストは例にすぎず、従って、複数のセクタ間の多数の区分が可能である。
【００７２】
一例として、ＵＥ７０２がセクタＢ−Ｃ内に位置し、ＵＥがセクタＢとセクタＣの両方とのよりソフトなハンドオーバに関与することを望む場合、ＵＥ７０２は、プリアンブルシグナチャ１１、１２、または１３を有するＰＲＡＣＨ通信を基地局６０４に送信することによってランダムアクセス手順を開始し得る。ＵＥは、これら３つの中からどの特定のプリアンブルシグナチャを使用すべきかについてランダムに決定し得る。プリアンブルシグナチャ１１、１２、または１３を有するＰＲＡＣＨ通信を受信すると、基地局６０４は、ＵＥ７０２がセクタＢ−Ｃ内に位置していることを知り、基地局６０４のセクタＢおよびＣとのよりソフトなハンドオーバに関与することを望む。
【００７３】
図１０Ａおよび図１０Ｂに、本開示の一態様による、Ｃｅｌｌ＿ＦＡＣＨなどの非専用状態にあるユーザ機器によるよりソフトなハンドオーバを可能にするための例示的なプロセス１０００のフローチャートを示す。ステップ１００２において、ＲＡＮ６００のＲＮＣ６０２は、よりソフトなハンドオーバのために使用され得るＵＥのためのマルチセクタ共通Ｅ−ＤＣＨシステム情報リソースリスト（例えば、リソースリスト８００）を生成する。ステップ１００４において、ＲＮＣ６０２は、プリアンブルシグナチャ空間を基地局６０４の様々な非重複および重複セクタに対応するグループに区分した後に、プリアンブルシグナチャパーティションリスト（例えば、パーティションリスト９００）を生成する。ステップ１００５において、ＲＮＣ６０２は、基地局６０４の１つまたは複数の非サービングセクタとのよりソフトなハンドオーバに関与すべきかどうかを判断するためにＵＥが使用し得るあらかじめ定義される電力しきい値を生成する。あらかじめ定義された電力しきい値は、一意であり、様々なよりソフトなハンドオーバセクタ構成（例えば、セクタＡ−Ｂ、セクタＡ−Ｃ、セクタＢ−Ｃなど）に固有であり得る。例えば、セクタＡとセクタＣとを含むよりソフトなハンドオーバ構成に関与するための電力しきい値は、セクタＢおよびセクタＣとのよりソフトなハンドオーバに関与するために必要とされる電力しきい値とは異なり得る。
【００７４】
ステップ１００６およびステップ１００８において、基地局６０４は、それぞれリソースリスト８００およびパーティションリスト９００を基地局６０４のリスニング範囲内のＵＥにブロードキャストする。ブロードキャストはまた、ＲＮＣ６０２によって生成された電力しきい値を含み得る。ブロードキャストは、ＢＣＨなどのブロードキャストチャネル上で実行され得、ブロードキャストチャネルは、基地局６０４のリスニング範囲にある任意の１つまたは複数のＵＥが受信し得る共有チャネルである。このブロードキャストを用いて、基地局６０４は、Ｅ−ＤＣＨ上のアップリンク送信のためにどのリソースが利用可能であるかを１つまたは複数のＵＥに通信できる。これらのアップリンクリソースは、一般に、Ｃｅｌｌ＿ＦＡＣＨでのアップリンクトラフィックのために使用され得る共通Ｅ−ＤＣＨリソースのリストを含む。さらに、基地局６０４は、Ｒｅｌ−９９  ＰＲＡＣＨ用にどのリソースが利用可能であるかをＵＥに通信し得る。基地局６０４は、リスト８００、９００をブロードキャストする前に、最初に、ＲＮＣからそれらを受信し得る。
【００７５】
ステップ１０１０において、ユーザ機器７０２は、１つまたは複数の非サービングセクタ（すなわち、ユーザ機器７０２を現在サービスしていないセクタ）がサービングセクタ（すなわち、現在ＵＥ７０２をサービスしているセクタ）のあらかじめ定義された電力しきい値の範囲内にあると判断する。すなわち、１つまたは複数の非サービングセクタからのＵＥ７０２において受信された信号（例えば、共通パイロットインジケータチャネル（ＣＰＩＣＨ：common pilot indicator channel）などのパイロット信号）の電力レベルは、サービングセクタから現在受信している信号（例えば、ＣＰＩＣＨなどのパイロット信号）の電力レベルのあらかじめ定義されたしきい値の範囲内にある。上記で説明したように、本開示の一態様では、ＵＥ７０２によって使用される電力しきい値は、ＲＮＣ６０２によって生成され、特定のよりソフトなハンドオーバセクタ構成に一意／固有であり得る（例えば、セクタＡおよびＣとのよりソフトなハンドオーバはセクタＡおよびＢとのよりソフトなハンドオーバとは異なるしきい値を使用し得る）。
【００７６】
一例として図７を参照すると、ＵＥ７０２は、時間ｔ1にセクタＢからセクタＢ−Ｃに移動し得る。セクタＢ−Ｃに入ると、ＵＥ７０２は、セクタＣに関連する第３のＲＲＨ６１０のＣＰＩＣＨが、ＸｄＢのセクタＢに関連する第２のＲＲＨ６０８のＣＰＩＣＨ内にあると判断し得、ＸｄＢはあらかじめ定義されたしきい値よりも小さい。本開示の一態様によれば、あらかじめ定義されたしきい値は２０ｄＢ以下であり得る。あらかじめ定義されたしきい値が比較的低い（例えば、１０ｄＢ以下）と仮定すると、ＵＥ７０２は、セクタＣに関連する信号電力が、それが現在サービスされているセクタの信号電力程度であり、従って、非サービングセクタ（例えば、セクタＣ）とのよりソフトなハンドオーバが、干渉を緩和し、信号品質を改善し得ると効果的に判断する。
【００７７】
ステップ１０１２において、ＵＥ７０２は、所望のマルチセクタのよりソフトなハンドオーバ構成に対応するプリアンブルシグナチャパーティションリストからプリアンブルシグナチャを選択する。この場合、ＵＥ７０２は、セクタＢおよびＣとのよりソフトなハンドオーバに関与することを望み、従って、プリアンブルシグナチャ１１、１２、および１３のうちのいずれか１つを選択し得る。ステップ１０１４において、ＵＥ７０２は、所望のマルチセクタのよりソフトなハンドオーバ構成（例えば、その構成は、セクタＢおよびＣとのよりソフトなハンドオーバであり得る）を使用して基地局６０４との間で情報の受信および送信を行いたいというそれの意図を示すために、選択されたプリアンブルシグナチャを使用してＰＲＡＣＨ上で基地局６０４にランダムアクセス要求を送信する。ステップ１０１６において、基地局６０４は、ＰＲＡＣＨ上で、選択されたプリアンブルシグナチャを有するアクセス要求メッセージを受信する。基地局６０４は、使用されるプリアンブルシグナチャを読み取り、ＵＥ７０２がセクタＢおよびＣとのよりソフトなハンドオーバに関与することを望むことを理解する。基地局６０４は、ＵＥに現在利用可能なマルチセクタＥ−ＤＣＨリソースインデックスを割り当て、それをＡＩＣＨ上で取得インジケータＡＩ／Ｅ−ＡＩを介してＵＥに送信する。従って、実際には、基地局６０４は、どのＥ−ＤＣＨリソースが現在利用可能であるかを動的に判断し、ＵＥ７０２にそれらのリソースの一部分を割り当てる。取得インジケータ中のリソースインデックス値は、ＵＥ７０２に、基地局６０４からデータを受信し始めるためにどのＥ−ＤＣＨリソースに同調すべきかを知らせる。
【００７８】
ステップ１０１８において、基地局６０４は、マルチセクタのよりソフトなハンドオーバ構成を使用してＵＥ７０２に割り当てられたマルチセクタＥ−ＤＣＨリソースインデックス値に関連するＦ−ＤＰＣＨ、Ｅ−ＨＩＣＨ、およびＥ−ＲＧＣＨ上でＵＥ７０２にデータを送信し始める。すなわち、基地局６０４は、セクタＢとセクタＣの両方の（場合によっては、他のチャネルの中でも）Ｆ−ＤＰＣＨ、Ｅ−ＨＩＣＨ、およびＥ−ＲＧＣＨ上でデータを送信し始める。ステップ１０２０において、ＵＥ７０２は、基地局６０４によって送信されたマルチセクタＥ−ＤＣＨリソースインデックスに関連するＦ−ＤＰＣＨ、Ｅ−ＨＩＣＨ、およびＥ−ＲＧＣＨから受信したデータを受信、復調、およびソフト結合（soft combine）（例えば、最大比結合（maximal ratio combine））する。ステップ１０２２において、ＵＥ７０２は、データを変調し、それをマルチセクタのよりソフトなハンドオーバ構成を使用してアップリンクチャネル上で送信する。従って、ＵＥ７０２は、基地局６０４に、同じ生データストリームを送信するが、セクタＢとＣとに異なるチャネル符号化および変調方式を使用し得る。ステップ１０２４において、基地局６０４は、異なるセクタに属する（１つまたは複数の）アンテナ（例えば、セクタＢにあるアンテナの１つのペアおよびセクタＣにある別のペア）において、ＵＥ７０２からアップリンクデータを受信する。基地局は、次いで、受信したデータを復調し、ソフト結合（例えば、最大比結合）する。ステップ１０２６において、ＵＥ７０２は、それの送信が完了したことを基地局６０４に通知し、割り当てられたマルチセクタＥ−ＤＣＨリソースをＲＡＮ６００に解放して戻す。
【００７９】
このようにして、ＵＥ７０２および基地局６０４は、よりソフトなハンドオーバ接続を迅速におよび効率的に確立し得る。基地局６０４は、ランダムアクセス要求メッセージを受信した直後に、ＵＥ７０２に、複数のそれのセクタのための利用可能なＥ−ＤＣＨリソースを動的に割り当て得るので、説明したプロセスは効率的である。選択されたプリアンブルシグナチャを含んでいるランダムアクセスメッセージは、ＵＥ７０２がよりソフトなハンドオーバ接続をどのセクタと確立することを望むかを基地局６０４に迅速に通知する。基地局６０４は、特定の時間にどのＥ−ＤＣＨリソースが利用可能であり、使用中でないかをすでに知っているので、基地局６０４は、例えば、ＲＮＣ６０２と通信する必要なしに、ＵＥ７０２にＥ−ＤＣＨにリソースインデックスを割り当てることができる。本開示の少なくとも１つの態様では、図１０Ａおよび図１０Ｂに示したＲＮＣ６０２および基地局６０４によって実行される機能は、ＬＴＥ  ｅノードＢなどの単一のネットワークノードによって実行され得る。
【００８０】
図１１Ａ、図１１Ｂ、および図１１Ｃに、本開示の一態様による、Ｃｅｌｌ＿ＦＡＣＨなどの非専用状態にあるユーザ機器によるよりソフトなハンドオーバを可能にするための例示的なプロセス１１００の図を示す。ステップ１１０２において、ＲＮＣ６０２は、よりソフトなハンドオーバのために使用され得るＵＥのためのマルチセクタ共通Ｅ−ＤＣＨシステム情報リソースリスト（例えば、リソースリスト８００）を生成する。ステップ１１０４において、ＲＮＣ６０２は、プリアンブルシグナチャ空間を基地局６０４の様々な非重複および重複セクタに対応するグループに区分した後に、プリアンブルシグナチャパーティションリスト（例えば、パーティションリスト９００）を生成する。随意に、ステップ１１０５において、ＲＮＣ６０２は、特定の非サービングセクタとのよりソフトなハンドオーバに関与すべきかどうかを判断するためにＵＥ７０２によって使用されるべき複数の電力しきい値を生成する。例えば、第１のあらかじめ定義された電力しきい値は、ＵＥ７０２が、基地局６０４に関連する複数のセクタのうちの第１のセットのセクタ（例えば、セクタＡおよびＢ）間のよりソフトなハンドオーバに関与することを可能にすべきかどうかを判断し得、第２のあらかじめ定義された電力しきい値は、ＵＥ７０２が、基地局６０４に関連する複数のセクタのうちの第２の異なるセットのセクタ（例えば、セクタＢおよびＣ）間のよりソフトなハンドオーバに関与することを可能にすべきかどうかを判断し得る。ステップ１１０６において、ＲＮＣ３０２は、基地局６０４に、リソースリスト８００、パーティションリスト９００、および／または電力しきい値を送信する。ステップ１１０８において、基地局６０４は、基地局６０４のリスニング範囲内のＵＥにリソースリスト８００、パーティションリスト９００、および／または電力しきい値をブロードキャストする。
【００８１】
ステップ１１１０において、ユーザ機器７０２は、サービングセクタと非サービングセクタとの間の電力の差が特定のあらかじめ定義されたしきい値レベル内にあると判断する。例えば、１つまたは複数の非サービングセクタからのＵＥ７０２において受信された信号（例えば、共通パイロットインジケータチャネル（ＣＰＩＣＨ）などのパイロット信号）の電力レベルは、サービングセクタから現在受信している信号（例えば、ＣＰＩＣＨなどのパイロット信号）の電力レベルのあらかじめ定義されたしきい値の範囲内にある。本開示の一態様では、ＵＥ７０２は、非サービングセクタからの信号（例えば、ＣＰＩＣＨなどのパイロット信号）の信号対雑音比があらかじめ定義されたしきい値レベルを上回ると判断し得る。本開示の別の態様では、ＵＥ７０２は、非サービングセクタからの信号（例えば、ＣＰＩＣＨなどのパイロット信号）の信号対雑音比が、サービングセクタから受信した対応する信号（例えば、ＣＰＩＣＨ）の信号対雑音比のあらかじめ定義されたしきい値の範囲内にあると判断し得る。本開示の一態様では、ＲＮＣ６０２が、あらかじめ定義された電力しきい値を生成する。本開示の別の態様では、基地局６０４が、あらかじめ定義された電力しきい値を生成する。本開示のさらに別の態様では、ＵＥ７０２が、電力しきい値を生成する。
【００８２】
ステップ１１１２において、ＵＥ７０２は、所望のマルチセクタのよりソフトなハンドオーバ構成に対応するプリアンブルシグナチャパーティションリストからプリアンブルシグナチャを選択する。一例によれば、ＵＥ７０２は、セクタＢおよびＣとのよりソフトなハンドオーバに関与することを望み、従って、プリアンブルシグナチャ１１、１２、および１３のうちのいずれか１つを選択し得る。ステップ１１１４において、ＵＥ７０２は、所望のマルチセクタのよりソフトなハンドオーバ構成（例えば、その構成は、セクタＢおよびＣとのよりソフトなハンドオーバであり得る）を使用して基地局６０４との間で情報の受信および送信を行いたいというそれの意図を示すために、選択されたプリアンブルシグナチャを使用してＰＲＡＣＨ上で基地局６０４にランダムアクセス要求を送信する。ステップ１１１６において、基地局６０４は、ＰＲＡＣＨ上で、選択されたプリアンブルシグナチャを有するアクセス要求メッセージを受信し、ＵＥ７０２がセクタＢおよびＣとのよりソフトなハンドオーバに関与することを望むと判断する。ステップ１１１８において、基地局６０４は、ＵＥに利用可能なマルチセクタＥ−ＤＣＨリソースインデックスを割り当て、それをＡＩＣＨ上で取得インジケータＡＩ／Ｅ−ＡＩを介してＵＥに送信する。
【００８３】
ステップ１１２０において、ＵＥ７０２は、マルチセクタＥ−ＤＣＨリソースインデックス値に対応するＥ−ＤＣＨリソースおよびプライマリスクランブリングコードをルックアップする。ＵＥ７０２は、次いで、リソースインデックス値に関連するチャネルコードに関するデータを受信することを予想し得る。ステップ１１２２において、基地局６０４は、マルチセクタのよりソフトなハンドオーバ構成を使用してＵＥ７０２に割り当てられたマルチセクタＥ−ＤＣＨリソースインデックス値に関連するＦ−ＤＰＣＨ、Ｅ−ＨＩＣＨ、およびＥ−ＲＧＣＨ上でＵＥ７０２にデータを送信し始める。すなわち、所与の例では、基地局６０４は、セクタＢとセクタＣの両方の（場合によっては、他のチャネルの中でも）Ｆ−ＤＰＣＨ、Ｅ−ＨＩＣＨ、およびＥ−ＲＧＣＨ上でデータを送信し始める。ステップ１１２４において、ＵＥ７０２は、基地局６０４によって送信されたマルチセクタＥ−ＤＣＨリソースインデックスに関連するＦ−ＤＰＣＨ、Ｅ−ＨＩＣＨ、およびＥ−ＲＧＣＨから受信したデータを受信、復調、およびソフト結合（例えば、最大比結合）する。ステップ１１２６において、ＵＥ７０２は、データを変調し、それをマルチセクタのよりソフトなハンドオーバ構成を使用してアップリンクチャネル上で送信する。従って、ＵＥ７０２は、基地局６０４に、同じ生データストリームを送信するが、セクタＢとＣとに異なるチャネル符号化および変調方式を使用し得る。ステップ１１２８において、基地局６０４は、ＵＥ７０２から受信したアップリンクデータを受信、復調、およびソフト結合する。ステップ１１３０において、ＵＥ７０２は、よりソフトなハンドオーバ構成上でのアップリンクデータの送信が完了したことを示す通知を基地局６０４に送信する。ステップ１１３２において、基地局６０４は、割り当てられたマルチセクタＥ−ＤＣＨリソースを利用可能なリソースのプールに解放して戻す。本開示の少なくとも１つの態様では、図１１Ａ、図１１Ｂ、および図１１Ｃに示したＲＮＣ６０２および基地局６０４によって実行される機能は、ＬＴＥ  ｅノードＢなどの単一のネットワークノードによって実行され得る。
【００８４】
図１２に、本開示の一態様による、非専用チャネル状態にある間によりソフトなハンドオーバを可能にするための、ユーザ機器において動作可能な方法１２００を示す。ステップ１２０２において、ＵＥは、基地局の第１のセクタを介して基地局と通信する。ステップ１２０４において、ＵＥはプリアンブルシグナチャパーティションリストを受信する。ステップ１２０６において、ＵＥは、基地局の第２のセクタがよりソフトなハンドオーバのために利用可能であると判断する。ステップ１２０８において、ＵＥは、第１のセクタと第２のセクタとに関連するよりソフトなハンドオーバ構成に対応するプリアンブルシグナチャパーティションリストからプリアンブルシグナチャを選択する。ステップ１２１０において、ＵＥは、非専用チャネル状態にある間に、プリアンブルシグナチャを含むよりソフトなハンドオーバ開始メッセージを送信する。
【００８５】
図１３に、本開示の一態様による、ＵＥが非専用チャネル状態にある間によりソフトなハンドオーバを可能にするための、基地局において動作可能な方法１３００を示す。ステップ１３０２において、基地局は、基地局の第１のセクタを介してＵＥと通信する。ステップ１３０４において、基地局は、プリアンブルシグナチャパーティションリストをブロードキャストする。ステップ１３０６において、基地局は、ＵＥからプリアンブルシグナチャを含むよりソフトなハンドオーバ開始メッセージを受信する。ステップ１３０８において、基地局は、受信したプリアンブルシグナチャに基づいて、プリアンブルシグナチャパーティションリストから基地局の第１のセクタと第２のセクタとに関連するよりソフトなハンドオーバ構成を識別する。
【００８６】
図１４に、本開示の一態様による、ＵＥが非専用チャネル状態にある間によりソフトなハンドオーバを可能にするためのネットワークノード（例えば、ＲＮＣまたは発展型ノードＢ）において動作可能な方法１４００を示す。ステップ１４０２において、ネットワークノードは、プリアンブルシグナチャ空間をグループに区分し、各グループは、基地局に関連する複数のセクタのうちの１つのセクタに対応する。ステップ１４０４において、ネットワークノードは、区分されたプリアンブルシグナチャ空間に基づいてプリアンブルシグナチャパーティションリストを生成する。ステップ１４０６において、ネットワークノードは、基地局にプリアンブルシグナチャパーティションリストを送信する。ステップ１４０８において、ネットワークノードは、アップリンク送信を可能にするチャネルのチャネルコード情報を含むマルチセクタ共通拡張アップリンク専用チャネル（Ｅ−ＤＣＨ）システム情報リソースリストを生成し、チャネルコード情報は、基地局の複数のセクタに関連付けられる。ステップ１４１０において、ネットワークノードは、基地局にマルチセクタ共通Ｅ−ＤＣＨシステム情報リソースリストを送信する。
【００８７】
図１５は、ユーザ機器（ＵＥ）１５００のためのハードウェア実装形態の一例を示す概念ブロック図である。ＵＥ１５００は、上記で説明したＵＥ１１０、２３０、２３２、２３４、２３６、２３８、２４０、３５０、７０２のいずれかを表し得る。ＵＥ１５００は、処理システム１５１４と、通信インターフェース１５１０と、ユーザインターフェース１５１２とを含み得る。処理システムは、プロセッサ１５０４と、メモリ１５０５と、コンピュータ可読媒体１５０６と、バスインターフェース１５０８と、バス１５０２とを含み得る。処理システム１５１４は、図１〜図３、図５、図７、図１０Ａ、図１０Ｂ、図１１Ａ、図１１Ｂ、図１１Ｃ、および図１２に示したＵＥによって実行されるステップ、機能、および／またはプロセスのいずれかを実行するように適合され得る。
【００８８】
プロセッサ１５０４（例えば、処理回路）は、ＵＥ１５００についてのデータを処理するように適合された１つまたは複数のプロセッサであり得る。例えば、処理回路１５０４は、基地局の第１のセクタを介して基地局と通信するための手段と、プリアンブルシグナチャパーティションリストを受信するための手段と、基地局の第２のセクタがよりソフトなハンドオーバのために利用可能であると判断するための手段と、第１のセクタと第２のセクタとに関連するよりソフトなハンドオーバ構成に対応するプリアンブルシグナチャパーティションリストからプリアンブルシグナチャを選択するための手段と、非専用チャネル状態にある間にプリアンブルシグナチャを含むよりソフトなハンドオーバ開始メッセージを送信するための手段ととして働く、ＡＳＩＣなどの専用プロセッサであり得る。プロセッサ１５０４の例には、マイクロプロセッサ、マイクロコントローラ、デジタル信号プロセッサ（ＤＳＰ：digital signal processor）、フィールドプログラマブルゲートアレイ（ＦＰＧＡ：field programmable gate array）、プログラマブル論理デバイス（ＰＬＤ：programmable logic device）、状態機械、ゲート論理、個別ハードウェア回路、および本開示全体にわたって説明する様々な機能を実行するように構成された他の好適なハードウェアがある。プロセッサ１５０４はまた、バス１５０２を管理することと、コンピュータ可読媒体１５０６および／またはメモリ１５０５に記憶されたソフトウェアを実行することとを担当する。ソフトウェアは、プロセッサ１５０４によって実行されたとき、処理システム１５１４に、ＵＥのいずれかについて上記で説明した様々な機能、ステップ、および／またはプロセスを実行させる。コンピュータ可読媒体１５０６は、ソフトウェアを実行するときにプロセッサ１５０４によって操作されるデータを記憶するために使用され得る。
【００８９】
ソフトウェアは、ソフトウェア、ファームウェア、ミドルウェア、マイクロコード、ハードウェア記述言語などの名称にかかわらず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行ファイル、実行スレッド、プロシージャ、関数などを意味すると広く解釈されたい。ソフトウェアはコンピュータ可読媒体１５０６上に常駐し得る。コンピュータ可読媒体１５０６は非一時的コンピュータ可読媒体であり得る。非一時的コンピュータ可読媒体は、例として、磁気ストレージデバイス（例えば、ハードディスク、フロッピー（登録商標）ディスク、磁気ストリップ）、光ディスク（例えば、コンパクトディスク（ＣＤ）またはデジタル多用途ディスク（ＤＶＤ））、スマートカード、フラッシュメモリデバイス（例えば、カード、スティック、またはキードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、レジスタ、リムーバブルディスク、ならびにコンピュータによってアクセスされ、読み取られ得るソフトウェアおよび／または命令を記憶するための任意の他の好適な媒体を含む。コンピュータ可読媒体はまた、例として、搬送波、伝送線路、ならびにコンピュータによってアクセスされ、読み取られ得るソフトウェアおよび／または命令を送信するための任意の他の好適な媒体を含み得る。コンピュータ可読媒体１５０６は、処理システム１５１４中に常駐するか、処理システム１５１４の外部にあるか、または処理システム１５１４を含む複数のエンティティにわたって分散され得る。コンピュータ可読媒体１５０６はコンピュータプログラム製品において実施され得る。
【００９０】
この例では、処理システム１５１４は、バス１５０２によって概略的に表されるバスアーキテクチャを用いて実装され得る。バス１５０２は、処理システム１５１４の特定の適用例および全体的な設計制約に応じて、任意の数の相互接続バスおよびブリッジを含み得る。バス１５０２は、（プロセッサ１５０４によって概略的に表される）１つまたは複数のプロセッサと、メモリ１５０５と、（コンピュータ可読媒体１５０６によって概略的に表される）コンピュータ可読媒体とを含む様々な回路を互いにリンクする。バス１５０２はまた、タイミングソース、周辺機器、電圧調整器、および電力管理回路など、様々な他の回路をリンクし得るが、これらの回路は当技術分野においてよく知られており、従って、これ以上説明しない。バスインターフェース１５０８は、バス１５０２と通信インターフェース１５１０との間のインターフェースを与える。通信インターフェース１５１０は、伝送媒体上で他の装置と通信するための手段を与える。通信インターフェース１５１０は、ＵＥ１５００が、１つまたは複数の基地局など、ワイヤレスネットワークの１つまたは複数のネットワーク構成要素と通信することを可能にするワイヤレストランシーバであり得る。装置の性質に応じて、ユーザインターフェース１５１２（例えば、キーパッド、ディスプレイ、スピーカー、マイクロフォン、タッチスクリーンディスプレイなど）も与えられ得る。
【００９１】
図１６は、基地局１６００のためのハードウェア実装形態の一例を示す概念ブロック図である。基地局１６００は、上記で説明したノードＢおよび基地局１０８、２４２、２４４、２４６、３１０、６０４のいずれかを表し得る。基地局１６００は、処理システム１６１４と、通信インターフェース１６１０と、ユーザインターフェース１６１２とを含み得る。処理システムは、プロセッサ１６０４と、メモリ１６０５と、コンピュータ可読媒体１６０６と、バスインターフェース１６０８と、バス１６０２とを含み得る。処理システム１６１４は、図１〜図３、図５〜図７、図１０Ａ、図１０Ｂ、図１１Ａ、図１１Ｂ、図１１Ｃ、および図１３に示したノードＢまたは基地局によって実行されるステップ、機能、および／またはプロセスのいずれかを実行するように適合され得る。
【００９２】
プロセッサ１６０４（例えば、処理回路）は、基地局１６００についてのデータを処理するように適合された１つまたは複数のプロセッサであり得る。例えば、処理回路１６０４は、基地局の第１のセクタを介してユーザ機器（ＵＥ）と通信するための手段と、プリアンブルシグナチャパーティションリストをブロードキャストするための手段と、ＵＥからプリアンブルシグナチャを含むよりソフトなハンドオーバ開始メッセージを受信するための手段と、受信したプリアンブルシグナチャに基づいてプリアンブルシグナチャパーティションリストから、基地局の第１のセクタと第２のセクタとに関連するよりソフトなハンドオーバ構成を識別するための手段ととして働くＡＳＩＣなどの専用プロセッサであり得る。プロセッサ１６０４の例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。プロセッサ１６０４はまた、バス１６０２を管理することと、コンピュータ可読媒体１６０６および／またはメモリ１６０５に記憶されたソフトウェアを実行することとを担当する。ソフトウェアは、プロセッサ１６０４によって実行されたとき、処理システム１６１４に、ノードＢおよび基地局のいずれかについて上記で説明した様々な機能、ステップ、および／またはプロセスを実行させる。コンピュータ可読媒体１６０６は、ソフトウェアを実行するときにプロセッサ１６０４によって操作されるデータを記憶するために使用され得る。
【００９３】
ソフトウェアはコンピュータ可読媒体１６０６上に常駐し得る。コンピュータ可読媒体１６０６は非一時的コンピュータ可読媒体であり得る。非一時的コンピュータ可読媒体は、例として、磁気ストレージデバイス（例えば、ハードディスク、フロッピーディスク、磁気ストリップ）、光ディスク（例えば、コンパクトディスク（ＣＤ）またはデジタル多用途ディスク（ＤＶＤ））、スマートカード、フラッシュメモリデバイス（例えば、カード、スティック、またはキードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、レジスタ、リムーバブルディスク、ならびにコンピュータによってアクセスされ、読み取られ得るソフトウェアおよび／または命令を記憶するための任意の他の好適な媒体を含む。コンピュータ可読媒体はまた、例として、搬送波、伝送線路、ならびにコンピュータによってアクセスされ、読み取られ得るソフトウェアおよび／または命令を送信するための任意の他の好適な媒体を含み得る。コンピュータ可読媒体１６０６は、処理システム１６１４中に常駐するか、処理システム１６１４の外部にあるか、または処理システム１６１４を含む複数のエンティティにわたって分散され得る。コンピュータ可読媒体１６０６はコンピュータプログラム製品において実施され得る。
【００９４】
この例では、処理システム１６１４は、バス１６０２によって概略的に表されるバスアーキテクチャを用いて実装され得る。バス１６０２は、処理システム１６１４の特定の適用例および全体的な設計制約に応じて、任意の数の相互接続バスおよびブリッジを含み得る。バス１６０２は、（プロセッサ１６０４によって概略的に表される）１つまたは複数のプロセッサと、メモリ１６０５と、（コンピュータ可読媒体１６０６によって概略的に表される）コンピュータ可読媒体とを含む様々な回路を互いにリンクする。バス１６０２はまた、タイミングソース、周辺機器、電圧調整器、および電力管理回路など、様々な他の回路をリンクし得るが、これらの回路は当技術分野においてよく知られており、従って、これ以上説明しない。バスインターフェース１６０８は、バス１６０２と通信インターフェース１６１０との間のインターフェースを与える。通信インターフェース１６１０は、伝送媒体上で他の装置と通信するための手段を与える。通信インターフェース１６１０は、基地局１６００が、１つまたは複数のＵＥおよび／またはＲＮＣなど、ワイヤレスネットワークの１つまたは複数のネットワーク構成要素と通信することを可能にするワイヤレストランシーバであり得る。装置の性質に応じて、ユーザインターフェース１６１２（例えば、キーパッド、ディスプレイ、スピーカー、マイクロフォン、タッチスクリーンディスプレイなど）も与えられ得る。
【００９５】
図１７は、ネットワークノード１７００のためのハードウェア実装形態の一例を示す概念ブロック図である。本開示の一態様によれば、ネットワークノード１７００は、無線ネットワークコントローラ（ＲＮＣ）であり得、本開示の別の態様によれば、ネットワークノード１７００は、ＬＴＥネットワークに関連する発展型ノードＢであり得る。ネットワークノード１７００は、上記で説明したＲＮＣ１０６、６０２のいずれかを表し得る。ネットワークノード１７００は、処理システム１７１４と、通信インターフェース１７１０と、ユーザインターフェース１７１２とを含み得る。処理システムは、プロセッサ１７０４と、メモリ１７０５と、コンピュータ可読媒体１７０６と、バスインターフェース１７０８と、バス１７０２とを含み得る。処理システム１７１４は、図１、図５〜図７、図１０Ａ、図１０Ｂ、図１１Ａ、図１１Ｂ、図１１Ｃ、および図１４に示したＲＮＣまたはネットワークノードによって実行されるステップ、機能、および／またはプロセスのいずれかを実行するように適合され得る。
【００９６】
プロセッサ１７０４（例えば、処理回路）は、ネットワークノード１７００についてのデータを処理するように適合された１つまたは複数のプロセッサであり得る。例えば、処理回路１７０４は、プリアンブルシグナチャ空間をグループに区分するための手段であって、各グループが、基地局に関連する複数のセクタのうちの１つのセクタに対応する、区分するための手段と、区分されたプリアンブルシグナチャ空間に基づいてプリアンブルシグナチャパーティションリストを生成するための手段と、基地局にプリアンブルシグナチャパーティションリストを送信するための手段ととして働くＡＳＩＣなどの専用プロセッサであり得る。プロセッサ１７０４の例には、マイクロプロセッサ、マイクロコントローラ、デジタル信号プロセッサ（ＤＳＰ）、フィールドプログラマブルゲートアレイ（ＦＰＧＡ）、プログラマブル論理デバイス（ＰＬＤ）、状態機械、ゲート論理、個別ハードウェア回路、および本開示全体にわたって説明する様々な機能を実行するように構成された他の好適なハードウェアがある。プロセッサ１７０４はまた、バス１７０２を管理することと、コンピュータ可読媒体１７０６および／またはメモリ１７０５に記憶されたソフトウェアを実行することとを担当する。ソフトウェアは、プロセッサ１７０４によって実行されたとき、処理システム１７１４に、ＲＮＣＢおよびネットワークノードのいずれかについて上記で説明した様々な機能、ステップ、および／またはプロセスを実行させる。コンピュータ可読媒体１７０６は、ソフトウェアを実行するときにプロセッサ１７０４によって操作されるデータを記憶するために使用され得る。
【００９７】
ソフトウェアはコンピュータ可読媒体１７０６上に常駐し得る。コンピュータ可読媒体１７０６は非一時的コンピュータ可読媒体であり得る。非一時的コンピュータ可読媒体は、例として、磁気ストレージデバイス（例えば、ハードディスク、フロッピーディスク、磁気ストリップ）、光ディスク（例えば、コンパクトディスク（ＣＤ）またはデジタル多用途ディスク（ＤＶＤ））、スマートカード、フラッシュメモリデバイス（例えば、カード、スティック、またはキードライブ）、ランダムアクセスメモリ（ＲＡＭ）、読取り専用メモリ（ＲＯＭ）、プログラマブルＲＯＭ（ＰＲＯＭ）、消去可能ＰＲＯＭ（ＥＰＲＯＭ）、電気的消去可能ＰＲＯＭ（ＥＥＰＲＯＭ）、レジスタ、リムーバブルディスク、ならびにコンピュータによってアクセスされ、読み取られ得るソフトウェアおよび／または命令を記憶するための任意の他の好適な媒体を含む。コンピュータ可読媒体はまた、例として、搬送波、伝送線路、ならびにコンピュータによってアクセスされ、読み取られ得るソフトウェアおよび／または命令を送信するための任意の他の好適な媒体を含み得る。コンピュータ可読媒体１７０６は、処理システム１７１４中に常駐するか、処理システム１７１４の外部にあるか、または処理システム１７１４を含む複数のエンティティにわたって分散され得る。コンピュータ可読媒体１７０６はコンピュータプログラム製品において実施され得る。
【００９８】
この例では、処理システム１７１４は、バス１７０２によって概略的に表されるバスアーキテクチャを用いて実装され得る。バス１７０２は、処理システム１７１４の特定の適用例および全体的な設計制約に応じて、任意の数の相互接続バスおよびブリッジを含み得る。バス１７０２は、（プロセッサ１７０４によって概略的に表される）１つまたは複数のプロセッサと、メモリ１７０５と、（コンピュータ可読媒体１７０６によって概略的に表される）コンピュータ可読媒体とを含む様々な回路を互いにリンクする。バス１７０２はまた、タイミングソース、周辺機器、電圧調整器、および電力管理回路など、様々な他の回路をリンクし得るが、これらの回路は当技術分野においてよく知られており、従って、これ以上説明しない。バスインターフェース１７０８は、バス１７０２と通信インターフェース１７１０との間のインターフェースを与える。通信インターフェース１７１０は、伝送媒体上で様々な装置と通信するための手段を与える。通信インターフェース１７１０は、ネットワークノード１７００が、１つまたは複数の基地局および／またはＵＥなど、ワイヤレスネットワークの１つまたは複数のネットワーク構成要素と通信することを可能にするワイヤレストランシーバであり得る。装置の性質に応じて、ユーザインターフェース１７１２（例えば、キーパッド、ディスプレイ、スピーカー、マイクロフォン、タッチスクリーンディスプレイなど）も与えられ得る。
【００９９】
さらに、様々な本開示の態様は、単にＣｅｌｌ＿ＦＡＣＨ状態を越えて他のＲＲＣ状態でこれらの能力を与える。すなわち、本明細書で詳細に説明したよりソフトなハンドオーバのいくつかは、Ｃｅｌｌ＿ＦＡＣＨ状態に言及し得るが、それらのプロシージャは、ＵＲＡ＿ＰＣＨ、Ｃｅｌｌ＿ＰＣＨなどの他の非専用チャネルＲＲＣ状態にあるＵＥ、さらにはアイドルモードＵＥに等しく適用され得る。
【０１００】
Ｗ−ＣＤＭＡシステムに関して電気通信システムのいくつかの態様を提示した。当業者なら容易に諒解するように、本開示全体にわたって説明した様々な態様は、他の電気通信システム、ネットワークアーキテクチャおよび通信規格に拡張され得る。例として、様々な態様は、ＴＤ−ＳＣＤＭＡおよびＴＤ−ＣＤＭＡなどの他のＵＭＴＳシステムに拡張され得る。様々な態様はまた、（ＦＤＤ、ＴＤＤ、または両モードでの）Ｌｏｎｇ  Ｔｅｒｍ  Ｅｖｏｌｕｔｉｏｎ（ＬＴＥ）、（ＦＤＤ、ＴＤＤ、または両モードでの）ＬＴＥ−Ａｄｖａｎｃｅｄ（ＬＴＥ−Ａ）、ＣＤＭＡ２０００、Ｅｖｏｌｕｔｉｏｎ−Ｄａｔａ  Ｏｐｔｉｍｉｚｅｄ（ＥＶ−ＤＯ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ）、ＩＥＥＥ８０２．１６（ＷｉＭＡＸ）、ＩＥＥＥ８０２．２０、Ｕｌｔｒａ  Ｗｉｄｅｂａｎｄ（ＵＷＢ）、Ｂｌｕｅｔｏｏｔｈ（登録商標）、および／または他の好適なシステムを採用するシステムに拡張され得る。採用される実際の電気通信規格、ネットワークアーキテクチャ、および／または通信規格は、特定の適用例およびシステムに課せられる全体的な設計制約に依存することになる。
【０１０１】
開示した方法中のステップの特定の順序または階層は、例示的なプロセスの一例であることを理解されたい。設計上の選好に基づいて、本方法中のステップの特定の順序または階層は並べ替えられ得ることを理解されたい。添付の方法クレームは、様々なステップの要素を例示的な順序で提示したものであり、本明細書中で特に記載されない限り、提示された特定の順序または階層に限定されるものではない。
【０１０２】
以上の説明は、当業者が本明細書で説明した様々な態様を実行できるようにするために提供したものである。これらの態様に対する様々な変更は当業者には容易に明らかであり、本明細書で定義した一般的原理は他の態様に適用され得る。従って、特許請求の範囲は、本明細書で示した態様に限定されるものではなく、特許請求の範囲の言い回しに矛盾しない全範囲を与えられるべきであり、単数形の要素への言及は、そのように明記されていない限り、「唯一無二の」を意味するものではなく、「１つまたは複数の」を意味するものである。別段に明記されていない限り、「いくつかの」という語は「１つまたは複数の」を表す。項目のリスト「のうちの少なくとも１つ」を指す句は、個々のメンバーを含む、それらの項目の任意の組合せを指す。一例として、「ａ、ｂ、またはｃのうちの少なくとも１つ」は、ａ、ｂ、ｃ、ａおよびｂ、ａおよびｃ、ｂおよびｃ、ならびにａ、ｂおよびｃをカバーするものとする。当業者に知られている、または後に知られることになる、本開示全体にわたって説明した様々な態様の要素の全ての構造的および機能的均等物は、参照により本明細書に明白に組み込まれ、特許請求の範囲に包含されるものである。さらに、本明細書に開示したいかなることも、そのような開示が特許請求の範囲に明示的に具陳されているかどうかにかかわらず、公に供するものではない。いかなるクレーム要素も、その要素が「手段」という語句を使用して明白に具陳されていない限り、または方法クレームの場合には、その要素が「ステップ」という語句を使用して具陳されていない限り、米国特許法第１１２条第６項の規定に基づいて解釈されるべきではない。
【０１０３】
図１、図２、図３、図４、図５、図６、図７、図８Ａ、図８Ｂ、図８Ｃ、図９、図１０Ａ、図１０Ｂ、図１１Ａ、図１１Ｂ、図１１Ｃ、図１２、図１３、図１４、図１５、図１６、および／または図１７に示した構成要素、ステップ、特徴、および／または機能のうちの１つまたは複数は、単一の構成要素、ステップ、特徴または機能に再構成されおよび／または組み合わせられるか、あるいはいくつかの構成要素、ステップ、または機能で実施され得る。また、本開示から逸脱することなく追加の要素、構成要素、ステップ、および／または機能が追加され得る。図１、図２、図３、図６、図７、図１５、図１６、および／または図１７示した装置、デバイス、および／または構成要素は、図４、図５、図８Ａ、図８Ｂ、図８Ｃ、図９、図１０Ａ、図１０Ｂ、図１１Ａ、図１１Ｂ、図１１Ｃ、図１２、図１３、および／または図１４で説明した方法、特徴、またはステップのうちの１つまたは複数を実行するように構成され得る。本明細書で説明するアルゴリズムはまた、効率的にソフトウェアで実装されおよび／またはハードウェアに組み込まれ得る。
【０１０４】
さらに、本開示の一態様では、図１５に示した処理回路１５０４は、図５、図１０Ａ、図１０Ｂ、図１１Ａ、図１１Ｂ、図１１Ｃ、および／または図１２で説明したアルゴリズム、方法、および／またはステップを実行するように特に設計され、ならびに／あるいは有線接続された専用プロセッサ（例えば、特定用途向け集積回路（ＡＳＩＣ））であり得る。従って、そのような専用プロセッサ（ＡＳＩＣ）は、図５、図１０Ａ、図１０Ｂ、図１１Ａ、図１１Ｂ、図１１Ｃ、および／または図１２で説明したアルゴリズム、方法、および／またはステップを実行するための手段の一例であり得る。コンピュータ可読媒体１５０６はまた、専用プロセッサ（例えば、ＡＳＩＣ）１５０４によって実行されたとき、専用プロセッサに、図５、図１０Ａ、図１０Ｂ、図１１Ａ、図１１Ｂ、図１１Ｃ、および／または図１２で説明したアルゴリズム、方法、および／またはステップを実行させるプロセッサ可読命令を記憶し得る。本開示の別の態様では、図１６に示した処理回路１６０４は、図５、図１０Ａ、図１０Ｂ、図１１Ａ、図１１Ｂ、図１１Ｃ、および／または図１３で説明したアルゴリズム、方法、および／またはステップを実行するように特に設計され、ならびに／あるいは有線接続された専用プロセッサ（例えば、特定用途向け集積回路（ＡＳＩＣ））であり得る。従って、そのような専用プロセッサ（ＡＳＩＣ）は、図５、図１０Ａ、図１０Ｂ、図１１Ａ、図１１Ｂ、図１１Ｃ、および／または図１３で説明したアルゴリズム、方法、および／またはステップを実行するための手段の一例であり得る。コンピュータ可読媒体１６０６はまた、専用プロセッサ（例えば、ＡＳＩＣ）１６０４によって実行されたとき、専用プロセッサに、図５、図１０Ａ、図１０Ｂ、図１１Ａ、図１１Ｂ、図１１Ｃ、および／または図１３で説明したアルゴリズム、方法、および／またはステップを実行させるプロセッサ可読命令を記憶し得る。本開示のさらに別の態様では、図１７に示した処理回路１７０４は、図５、図１０Ａ、図１０Ｂ、図１１Ａ、図１１Ｂ、図１１Ｃ、および／または図１４で説明したアルゴリズム、方法、および／またはステップを実行するように特に設計され、ならびに／あるいは有線接続された専用プロセッサ（例えば、特定用途向け集積回路（ＡＳＩＣ））であり得る。従って、そのような専用プロセッサ（ＡＳＩＣ）は、図５、図１０Ａ、図１０Ｂ、図１１Ａ、図１１Ｂ、図１１Ｃ、および／または図１４で説明したアルゴリズム、方法、および／またはステップを実行するための手段の一例であり得る。コンピュータ可読媒体１７０６はまた、専用プロセッサ（例えば、ＡＳＩＣ）１７０４によって実行されたとき、専用プロセッサに、図５、図１０Ａ、図１０Ｂ、図１１Ａ、図１１Ｂ、図１１Ｃ、および／または図１４で説明したアルゴリズム、方法、および／またはステップを実行させるプロセッサ可読命令を記憶し得る。
【０１０５】
また、本開示の態様は、フローチャート、流れ図、構造図、またはブロック図として示されるプロセスとして説明されることがあることに留意されたい。フローチャートは動作を逐次プロセスとして説明することがあるが、動作の多くは並行してまたは同時に実行され得る。さらに、動作の順序は並べ替えられ得る。プロセスは、その動作が完了すると終了する。プロセスは、メソッド、関数、プロシージャ、サブルーチン、サブプログラムなどに対応し得る。プロセスが関数に対応する場合、その終了は呼び出し関数またはメイン関数への関数の復帰に対応する。
【０１０６】
さらに、記憶媒体は、読取り専用メモリ（ＲＯＭ）、ランダムアクセスメモリ（ＲＡＭ）、磁気ディスク記憶媒体、光記憶媒体、フラッシュメモリデバイスならびに／または、情報を記憶するための他の機械可読媒体、プロセッサ可読媒体、および／もしくはコンピュータ可読媒体を含む、データを記憶するための１つまたは複数のデバイスを表し得る。「機械可読媒体」、「コンピュータ可読媒体」、および／または「プロセッサ可読媒体」という用語は、限定はしないが、ポータブルまたは固定記憶デバイス、光記憶デバイス、ならびに（１つまたは複数の）命令および／またはデータを記憶、含有または担持することが可能な様々な他の媒体などの非一時的媒体を含み得る。従って、本明細書で説明した様々な方法は、「機械可読媒体」、「コンピュータ可読媒体」、および／または「プロセッサ可読媒体」に記憶され、１つまたは複数のプロセッサ、機械および／またはデバイスによって実行され得る命令および／またはデータによって完全にまたは部分的に実装され得る。
【０１０７】
さらに、本開示の態様は、ハードウェア、ソフトウェア、ファームウェア、ミドルウェア、マイクロコード、またはこれらの任意の組合せによって実装され得る。ソフトウェア、ファームウェア、ミドルウェアまたはマイクロコードで実装される場合、必要なタスクを実行するためのプログラムコードまたはコードセグメントは、記憶媒体または（１つまたは複数の）他の記憶装置などの機械可読媒体に記憶され得る。プロセッサは必要なタスクを実行し得る。コードセグメントは、プロシージャ、関数、サブプログラム、プログラム、ルーチン、サブルーチン、モジュール、ソフトウェアパッケージ、クラス、または、命令、データ構造、もしくはプログラムステートメントの任意の組合せを表し得る。コードセグメントは、情報、データ、引数、パラメータ、またはメモリ内容をパスおよび／または受信することによって、別のコードセグメントまたはハードウェア回路に結合され得る。情報、引数、パラメータ、データなどは、メモリ共有、メッセージパッシング、トークンパッシング、ネットワーク送信などを含む任意の適切な手段を介して、パス、転送、または送信され得る。
【０１０８】
本明細書に開示される例に関連して説明される、様々な例示的な論理ブロック、モジュール、回路、要素、および／またはコンポーネントは、汎用プロセッサ、デジタルシグナルプロセッサ（ＤＳＰ）、特定用途向け集積回路（ＡＳＩＣ）、フィールドプログラマブルゲートアレイ（ＦＰＧＡ）もしくは他のプログラマブルロジックコンポーネント、個別ゲート回路もしくはトランジスタ論理回路、個別ハードウェアコンポーネント、または、本明細書で説明する機能を実行するように設計されたそれらの任意の組合せを用いて、実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングコンポーネントの組合せ、例えば、ＤＳＰとマイクロプロセッサの組合せ、複数のマイクロプロセッサ、ＤＳＰコアと連携する１つまたは複数のマイクロプロセッサ、または任意の他のそのような構成として実装され得る。
【０１０９】
本明細書に開示する例に関連して説明した方法またはアルゴリズムは、ハードウェア、プロセッサによって実行可能なソフトウェアモジュール、または両方の組合せで、処理ユニット、プログラム命令、または他の指令の形態で直接実施され得、単一のデバイスに含まれるかまたは複数のデバイスにわたって分散され得る。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、または当技術分野で知られている任意の他の形態の記憶媒体中に常駐し得る。記憶媒体は、プロセッサがその記憶媒体から情報を読み取り、その記憶媒体に情報を書き込むことができるように、プロセッサに結合され得る。代替として、記憶媒体はプロセッサに一体化され得る。
【０１１０】
さらに、本明細書で開示する態様に関連して説明した様々な例示的な論理ブロック、モジュール、回路、およびアルゴリズムステップは、電子ハードウェア、コンピュータソフトウェア、または両方の組合せとして実装され得ることを、当業者は諒解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計制約に依存する。
【０１１１】
本明細書で説明した本開示の様々な特徴は、本発明から逸脱することなく様々なシステムで実装され得る。本開示の上記の態様は例にすぎず、本開示を限定するものと解釈すべきではないことに留意されたい。本開示の態様についての説明は、例示的なものであり、特許請求の範囲を限定するものではない。従って、本教示は、他のタイプの装置、ならびに多くの代替形態、修正形態、および変更形態に容易に適用できることが当業者には明らかであろう。
以下に、出願当初の特許請求の範囲に記載された発明を付記する。
［Ｃ１］
ユーザ機器において動作可能なワイヤレス通信の方法であって、
基地局の第１のセクタを介して前記基地局と通信することと、
プリアンブルシグナチャパーティションリストを受信することと、
前記基地局の第２のセクタがよりソフトなハンドオーバのために利用可能であると判断することと、
前記第１のセクタと前記第２のセクタとに関連するよりソフトなハンドオーバ構成に対応する前記プリアンブルシグナチャパーティションリストからプリアンブルシグナチャを選択することと、
非専用チャネル状態にある間に、前記プリアンブルシグナチャを含むよりソフトなハンドオーバ開始メッセージを送信することと
を備える、方法。
［Ｃ２］
前記非専用チャネル状態がＣｅｌｌ＿ＦＡＣＨ状態である、Ｃ１に記載の方法。
［Ｃ３］
前記第１のセクタがサービングセクタであり、前記第２のセクタが非サービングセクタである、Ｃ１に記載の方法。
［Ｃ４］
前記基地局の前記第２のセクタがよりソフトなハンドオーバのために利用可能であると判断することは、
前記第１のセクタから受信した第１の信号と前記第２のセクタから受信した第２の信号との間の電力レベル差が、あらかじめ定義されたしきい値よりも小さいと判断することを備える、Ｃ１に記載の方法。
［Ｃ５］
前記第１の信号と前記第２の信号とが共通パイロットインジケータチャネルである、Ｃ４に記載の方法。
［Ｃ６］
前記基地局の前記第２のセクタがよりソフトなハンドオーバのために利用可能であると判断することは、
前記第２のセクタから受信した信号の信号対雑音比が、あらかじめ定義されたしきい値よりも大きいと判断すること
を備える、Ｃ１に記載の方法。
［Ｃ７］
前記よりソフトなハンドオーバ開始メッセージが、物理ランダムアクセスチャネル（ＰＲＡＣＨ）上で送信されるランダムアクセスメッセージである、Ｃ１に記載の方法。
［Ｃ８］
アップリンク送信を可能にするチャネルのチャネルコード情報を含むマルチセクタ共通拡張アップリンク専用チャネル（Ｅ−ＤＣＨ）システム情報リソースリストを受信することをさらに備え、前記チャネルコード情報が前記基地局の複数のセクタに関連付けられる、Ｃ１に記載の方法。
［Ｃ９］
前記よりソフトなハンドオーバ開始メッセージを送信することに応答して、前記基地局からマルチセクタＥ−ＤＣＨリソースインデックス値を受信すること
をさらに備える、Ｃ８に記載の方法。
［Ｃ１０］
前記マルチセクタＥ−ＤＣＨリソースインデックス値に基づいて前記マルチセクタ共通Ｅ−ＤＣＨシステム情報リソースリストからＥ−ＤＣＨリソースを選択することと、
前記第１のセクタを介して、前記選択されたＥ−ＤＣＨリソースの第１の部分から第１のデータストリームを受信することと、
前記第２のセクタを介して、前記選択されたＥ−ＤＣＨリソースの第２の部分から第２のデータストリームを受信することと
をさらに備える、Ｃ９に記載の方法。
［Ｃ１１］
前記選択されたＥ−ＤＣＨリソースの前記第１の部分が、前記第１のセクタに関連するフラクショナル専用物理チャネル（Ｆ−ＤＰＣＨ）、Ｅ−ＤＣＨハイブリッド自動再送要求（ＨＡＲＱ）インジケータチャネル（Ｅ−ＨＩＣＨ）、および／またはＥ−ＤＣＨ相対グラントチャネル（Ｅ−ＲＧＣＨ）の少なくとも１つを含み、前記選択されたＥ−ＤＣＨリソースの前記第２の部分が、前記第２のセクタに関連するフラクショナル専用物理チャネル（Ｆ−ＤＰＣＨ）、Ｅ−ＤＣＨハイブリッド自動再送要求（ＨＡＲＱ）インジケータチャネル（Ｅ−ＨＩＣＨ）、および／またはＥ−ＤＣＨ相対グラントチャネル（Ｅ−ＲＧＣＨ）の少なくとも１つを含む、Ｃ１０に記載の方法。
［Ｃ１２］
前記第１のデータストリームと前記第２のデータストリームとを復調することと、
基礎をなす生データを復元するために、前記復調された第１のデータストリームを前記第２のデータストリームとソフト結合することと
をさらに備える、Ｃ９に記載の方法。
［Ｃ１３］
基地局の第１のセクタを介して前記基地局と通信するように適合された通信インターフェースと、
前記通信インターフェースに通信可能に結合された処理回路であって、
プリアンブルシグナチャパーティションリストを受信することと、
前記基地局の第２のセクタがよりソフトなハンドオーバのために利用可能であると判断することと、
前記第１のセクタと前記第２のセクタとに関連するよりソフトなハンドオーバ構成に対応する前記プリアンブルシグナチャパーティションリストからプリアンブルシグナチャを選択することと、
非専用チャネル状態にある間に、前記プリアンブルシグナチャを含むよりソフトなハンドオーバ開始メッセージを送信することと
を行うように適合された処理回路と
を備える、ユーザ機器。
［Ｃ１４］
前記非専用チャネル状態がＣｅｌｌ＿ＦＡＣＨ状態である、Ｃ１３に記載のユーザ機器。
［Ｃ１５］
前記第１のセクタがサービングセクタであり、前記第２のセクタが非サービングセクタである、Ｃ１３に記載のユーザ機器。
［Ｃ１６］
前記基地局の前記第２のセクタがよりソフトなハンドオーバのために利用可能であると判断するように適合された前記処理回路は、
前記第１のセクタから受信した第１の信号と前記第２のセクタから受信した第２の信号との間の電力レベル差が、あらかじめ定義されたしきい値よりも小さいと判断することを備える、Ｃ１３に記載のユーザ機器。
［Ｃ１７］
前記第１の信号と前記第２の信号とが共通パイロットインジケータチャネルである、Ｃ１６に記載のユーザ機器。
［Ｃ１８］
前記基地局の前記第２のセクタがよりソフトなハンドオーバのために利用可能であると判断するように適合された前記処理回路は、
前記第２のセクタから受信した信号の信号対雑音比が、あらかじめ定義されたしきい値よりも大きいと判断すること
を備える、Ｃ１３に記載のユーザ機器。
［Ｃ１９］
前記よりソフトなハンドオーバ開始メッセージが、物理ランダムアクセスチャネル（ＰＲＡＣＨ）上で送信されるランダムアクセスメッセージである、Ｃ１３に記載のユーザ機器。
［Ｃ２０］
前記処理回路が、
アップリンク送信を可能にするチャネルのチャネルコード情報を含むマルチセクタ共通拡張アップリンク専用チャネル（Ｅ−ＤＣＨ）システム情報リソースリストを受信するようにさらに適合され、前記チャネルコード情報が前記基地局の複数のセクタに関連付けられる、Ｃ１３に記載のユーザ機器。
［Ｃ２１］
前記処理回路が、
前記よりソフトなハンドオーバ開始メッセージを送信することに応答して、前記基地局からマルチセクタＥ−ＤＣＨリソースインデックス値を受信すること
を行うようにさらに適合された、Ｃ２０に記載のユーザ機器。
［Ｃ２２］
前記処理回路が、
前記マルチセクタＥ−ＤＣＨリソースインデックス値に基づいて前記マルチセクタ共通Ｅ−ＤＣＨシステム情報リソースリストからＥ−ＤＣＨリソースを選択することと、
前記第１のセクタを介して、前記選択されたＥ−ＤＣＨリソースの第１の部分から第１のデータストリームを受信することと、
前記第２のセクタを介して、前記選択されたＥ−ＤＣＨリソースの第２の部分から第２のデータストリームを受信することと
を行うようにさらに適合された、Ｃ２１に記載のユーザ機器。
［Ｃ２３］
前記選択されたＥ−ＤＣＨリソースの前記第１の部分が、前記第１のセクタに関連するフラクショナル専用物理チャネル（Ｆ−ＤＰＣＨ）、Ｅ−ＤＣＨハイブリッド自動再送要求（ＨＡＲＱ）インジケータチャネル（Ｅ−ＨＩＣＨ）、および／またはＥ−ＤＣＨ相対グラントチャネル（Ｅ−ＲＧＣＨ）の少なくとも１つを含み、前記選択されたＥ−ＤＣＨリソースの前記第２の部分が、前記第２のセクタに関連するフラクショナル専用物理チャネル（Ｆ−ＤＰＣＨ）、Ｅ−ＤＣＨハイブリッド自動再送要求（ＨＡＲＱ）インジケータチャネル（Ｅ−ＨＩＣＨ）、および／またはＥ−ＤＣＨ相対グラントチャネル（Ｅ−ＲＧＣＨ）の少なくとも１つを含む、Ｃ２２に記載のユーザ機器。
［Ｃ２４］
前記処理回路が、
前記第１のデータストリームと前記第２のデータストリームとを復調することと、
基礎をなす生データを復元するために、前記復調された第１のデータストリームを前記第２のデータストリームとソフト結合することと
を行うようにさらに適合された、Ｃ２１に記載のユーザ機器。
［Ｃ２５］
基地局の第１のセクタを介して前記基地局と通信するための手段と、
プリアンブルシグナチャパーティションリストを受信するための手段と、
前記基地局の第２のセクタがよりソフトなハンドオーバのために利用可能であると判断するための手段と、
前記第１のセクタと前記第２のセクタとに関連するよりソフトなハンドオーバ構成に対応する前記プリアンブルシグナチャパーティションリストからプリアンブルシグナチャを選択するための手段と、
非専用チャネル状態にある間に、前記プリアンブルシグナチャを含むよりソフトなハンドオーバ開始メッセージを送信するための手段と
を備える、ユーザ機器。
［Ｃ２６］
前記非専用チャネル状態がＣｅｌｌ＿ＦＡＣＨ状態である、Ｃ２５に記載のユーザ機器。
［Ｃ２７］
前記基地局の前記第２のセクタがよりソフトなハンドオーバのために利用可能であると判断するための前記手段は、
前記第１のセクタから受信した第１の信号と前記第２のセクタから受信した第２の信号との間の電力レベル差が、あらかじめ定義されたしきい値よりも小さいと判断するための手段
を備える、Ｃ２５に記載のユーザ機器。
［Ｃ２８］
アップリンク送信を可能にするチャネルのチャネルコード情報を含むマルチセクタ共通拡張アップリンク専用チャネル（Ｅ−ＤＣＨ）システム情報リソースリストを受信するための手段をさらに備え、前記チャネルコード情報が前記基地局の複数のセクタに関連付けられる、Ｃ２５に記載のユーザ機器。
［Ｃ２９］
前記よりソフトなハンドオーバ開始メッセージを送信することに応答して、前記基地局からマルチセクタＥ−ＤＣＨリソースインデックス値を受信するための手段と、
前記マルチセクタＥ−ＤＣＨリソースインデックス値に基づいて前記マルチセクタ共通Ｅ−ＤＣＨシステム情報リソースリストからＥ−ＤＣＨリソースを選択するための手段と、
前記第１のセクタを介して、前記選択されたＥ−ＤＣＨリソースの第１の部分から第１のデータストリームを受信するための手段と、
前記第２のセクタを介して、前記選択されたＥ−ＤＣＨリソースの第２の部分から第２のデータストリームを受信するための手段と
をさらに備える、Ｃ２８に記載のユーザ機器。
［Ｃ３０］
少なくとも１つのプロセッサによって実行されたとき、前記プロセッサに、
基地局の第１のセクタを介して前記基地局と通信することと、
プリアンブルシグナチャパーティションリストを受信することと、
前記基地局の第２のセクタがよりソフトなハンドオーバのために利用可能であると判断することと、
前記第１のセクタと前記第２のセクタとに関連するよりソフトなハンドオーバ構成に対応する前記プリアンブルシグナチャパーティションリストからプリアンブルシグナチャを選択することと、
非専用チャネル状態にある間に、前記プリアンブルシグナチャを含むよりソフトなハンドオーバ開始メッセージを送信することと
を行わせる１つまたは複数の命令を記憶した、非一時的プロセッサ可読媒体。
［Ｃ３１］
前記非専用チャネル状態がＣｅｌｌ＿ＦＡＣＨ状態である、Ｃ３０に記載の非一時的プロセッサ可読媒体。
［Ｃ３２］
前記基地局の前記第２のセクタがよりソフトなハンドオーバのために利用可能であると判断することを前記プロセッサに行わせる前記命令が、前記プロセッサに、
前記第１のセクタから受信した第１の信号と前記第２のセクタから受信した第２の信号との間の電力レベル差が、あらかじめ定義されたしきい値よりも小さいと判断することをさらに行わせる、Ｃ３０に記載の非一時的プロセッサ可読媒体。
［Ｃ３３］
前記命令が、前記プロセッサによって実行されたとき、前記プロセッサに、アップリンク送信を可能にするチャネルのチャネルコード情報を含むマルチセクタ共通拡張アップリンク専用チャネル（Ｅ−ＤＣＨ）システム情報リソースリストを受信することをさらに行わせ、前記チャネルコード情報が前記基地局の複数のセクタに関連付けられる、Ｃ３０に記載の非一時的プロセッサ可読媒体。
［Ｃ３４］
前記命令が、前記プロセッサによって実行されたとき、前記プロセッサに、
前記よりソフトなハンドオーバ開始メッセージを送信することに応答して、前記基地局からマルチセクタＥ−ＤＣＨリソースインデックス値を受信することと、
前記マルチセクタＥ−ＤＣＨリソースインデックス値に基づいて前記マルチセクタ共通Ｅ−ＤＣＨシステム情報リソースリストからＥ−ＤＣＨリソースを選択することと、
前記第１のセクタを介して、前記選択されたＥ−ＤＣＨリソースの第１の部分から第１のデータストリームを受信することと、
前記第２のセクタを介して、前記選択されたＥ−ＤＣＨリソースの第２の部分から第２のデータストリームを受信することと
をさらに行わせる、Ｃ３３に記載の非一時的プロセッサ可読媒体。
［Ｃ３５］
基地局において動作可能なワイヤレス通信の方法であって、
前記基地局の第１のセクタを介してユーザ機器（ＵＥ）と通信することと、
プリアンブルシグナチャパーティションリストをブロードキャストすることと、
前記ＵＥからプリアンブルシグナチャを含むよりソフトなハンドオーバ開始メッセージを受信することと、
前記受信したプリアンブルシグナチャに基づいて前記プリアンブルシグナチャパーティションリストから、前記基地局の前記第１のセクタと第２のセクタとに関連するよりソフトなハンドオーバ構成を識別することと
を備える、方法。
［Ｃ３６］
前記第１のセクタが前記ＵＥに対するサービングセクタであり、前記第２のセクタが前記ＵＥに対する非サービングセクタである、Ｃ３５に記載の方法。
［Ｃ３７］
前記よりソフトなハンドオーバ開始メッセージが、物理ランダムアクセスチャネル（ＰＲＡＣＨ）上で受信されるランダムアクセスメッセージである、Ｃ３５に記載の方法。
［Ｃ３８］
無線ネットワークコントローラ（ＲＮＣ）から前記プリアンブルシグナチャパーティションリストを受信すること
をさらに備える、Ｃ３５に記載の方法。
［Ｃ３９］
ＲＮＣからマルチセクタ共通拡張アップリンク専用チャネル（Ｅ−ＤＣＨ）システム情報リソースリストを受信すること
をさらに備える、Ｃ３５に記載の方法。
［Ｃ４０］
前記受信したプリアンブルシグナチャに基づいて、前記ＵＥが前記第１のセクタと前記第２のセクタとの内に位置すると判断すること
をさらに備える、Ｃ３５に記載の方法。
［Ｃ４１］
前記ＵＥが非専用チャネル状態にある間に、前記第１のセクタと前記第２のセクタとに関連する前記よりソフトなハンドオーバ構成に関与することを前記ＵＥが望むと判断すること
をさらに備える、Ｃ４０に記載の方法。
［Ｃ４２］
前記非専用チャネル状態がＣｅｌｌ＿ＦＡＣＨ状態である、Ｃ４１に記載の方法。
［Ｃ４３］
アップリンク送信を可能にするチャネルのチャネルコード情報を含むマルチセクタ共通Ｅ−ＤＣＨシステム情報リソースリストを前記ＵＥに送信することをさらに備え、前記チャネルコード情報が前記基地局の複数のセクタに関連付けられる、Ｃ３５に記載の方法。
［Ｃ４４］
前記よりソフトなハンドオーバ開始メッセージを受信することに応答して、前記ＵＥにマルチセクタＥ−ＤＣＨリソースインデックス値を送信すること
をさらに備える、Ｃ４３に記載の方法。
［Ｃ４５］
前記第１のセクタを介して、前記マルチセクタＥ−ＤＣＨリソースインデックス値に対応する、Ｅ−ＤＣＨリソースの第１の部分上で第１のデータストリームを送信することと、
前記第２のセクタを介して、前記マルチセクタＥ−ＤＣＨリソースインデックス値に対応する、Ｅ−ＤＣＨリソースの第２の部分上で第２のデータストリームを送信することとをさらに備える、Ｃ４４に記載の方法。
［Ｃ４６］
前記基地局がノードＢまたは発展型ノードＢのうちの１つである、Ｃ３５に記載の方法。
［Ｃ４７］
前記第１のセクタと前記第２のセクタが両方とも同じキャリア周波数に関連付けられる、Ｃ３５に記載の方法。
［Ｃ４８］
前記基地局の第１のセクタを介してユーザ機器（ＵＥ）と通信するように適合された通信インターフェースと、
前記通信インターフェースに通信可能に結合された処理回路であって、
プリアンブルシグナチャパーティションリストをブロードキャストすることと、
前記ＵＥからプリアンブルシグナチャを含むよりソフトなハンドオーバ開始メッセージを受信することと、
前記受信したプリアンブルシグナチャに基づいて前記プリアンブルシグナチャパーティションリストから、前記基地局の前記第１のセクタと第２のセクタとに関連するよりソフトなハンドオーバ構成を識別することと
を行うように適合された処理回路と
を備える、基地局。
［Ｃ４９］
前記第１のセクタが前記ＵＥに対するサービングセクタであり、前記第２のセクタが前記ＵＥに対する非サービングセクタである、Ｃ４８に記載の基地局。
［Ｃ５０］
前記よりソフトなハンドオーバ開始メッセージが、物理ランダムアクセスチャネル（ＰＲＡＣＨ）上で受信されるランダムアクセスメッセージである、Ｃ４８に記載の基地局。
［Ｃ５１］
前記処理回路が、
無線ネットワークコントローラ（ＲＮＣ）から前記プリアンブルシグナチャパーティションリストを受信すること
を行うようにさらに適合された、Ｃ４８に記載の基地局。
［Ｃ５２］
前記処理回路が、
ＲＮＣからマルチセクタ共通拡張アップリンク専用チャネル（Ｅ−ＤＣＨ）システム情報リソースリストを受信すること
を行うようにさらに適合された、Ｃ４８に記載の基地局。
［Ｃ５３］
前記処理回路が、
前記受信したプリアンブルシグナチャに基づいて、前記ＵＥが前記第１のセクタと前記第２のセクタとの内に位置すると判断すること
を行うようにさらに適合された、Ｃ４８に記載の基地局。
［Ｃ５４］
前記処理回路は、
前記ＵＥが非専用チャネル状態にある間に、前記第１のセクタと前記第２のセクタとに関連する前記よりソフトなハンドオーバ構成に関与することを前記ＵＥが望むと判断すること
を行うようにさらに適合された、Ｃ５３に記載の基地局。
［Ｃ５５］
前記非専用チャネル状態がＣｅｌｌ＿ＦＡＣＨ状態である、Ｃ５４に記載の基地局。
［Ｃ５６］
前記処理回路が、
アップリンク送信を可能にするチャネルのチャネルコード情報を含むマルチセクタ共通Ｅ−ＤＣＨシステム情報リソースリストを前記ＵＥに送信するようにさらに適合され、前記チャネルコード情報が前記基地局の複数のセクタに関連付けられる、Ｃ４８に記載の基地局。
［Ｃ５７］
前記処理回路が、
前記よりソフトなハンドオーバ開始メッセージを受信することに応答して、前記ＵＥにマルチセクタＥ−ＤＣＨリソースインデックス値を送信すること
を行うようにさらに適合された、Ｃ５６に記載の基地局。
［Ｃ５８］
前記処理回路が、
前記第１のセクタを介して、前記マルチセクタＥ−ＤＣＨリソースインデックス値に対応する、Ｅ−ＤＣＨリソースの第１の部分上で第１のデータストリームを送信することと、
前記第２のセクタを介して、前記マルチセクタＥ−ＤＣＨリソースインデックス値に対応する、Ｅ−ＤＣＨリソースの第２の部分上で第２のデータストリームを送信することとを行うようにさらに適合された、Ｃ５７に記載の基地局。
［Ｃ５９］
前記基地局がノードＢまたは発展型ノードＢのうちの１つである、Ｃ４８に記載の基地局。
［Ｃ６０］
前記第１のセクタと前記第２のセクタが両方とも同じキャリア周波数に関連付けられる、Ｃ４８に記載の基地局。
［Ｃ６１］
前記基地局の第１のセクタを介してユーザ機器（ＵＥ）と通信するための手段と、
プリアンブルシグナチャパーティションリストをブロードキャストするための手段と、
前記ＵＥからプリアンブルシグナチャを含むよりソフトなハンドオーバ開始メッセージを受信するための手段と、
前記受信したプリアンブルシグナチャに基づいて前記プリアンブルシグナチャパーティションリストから、前記基地局の前記第１のセクタと第２のセクタとに関連するよりソフトなハンドオーバ構成を識別するための手段と
を備える、基地局。
［Ｃ６２］
無線ネットワークコントローラ（ＲＮＣ）から前記プリアンブルシグナチャパーティションリストを受信するための手段と、
前記ＲＮＣからマルチセクタ共通拡張アップリンク専用チャネル（Ｅ−ＤＣＨ）システム情報リソースリストを受信するための手段と
をさらに備える、Ｃ６１に記載の基地局。
［Ｃ６３］
前記受信したプリアンブルシグナチャに基づいて、前記ＵＥが前記第１のセクタと前記第２のセクタとの内に位置すると判断するための手段
をさらに備える、Ｃ６１に記載の基地局。
［Ｃ６４］
前記ＵＥがＣｅｌｌ＿ＦＡＣＨ状態にある間に、前記第１のセクタと前記第２のセクタとに関連する前記よりソフトなハンドオーバ構成に関与することを前記ＵＥが望むと判断するための手段
をさらに備える、Ｃ６３に記載の基地局。
［Ｃ６５］
アップリンク送信を可能にするチャネルのチャネルコード情報を含むマルチセクタ共通Ｅ−ＤＣＨシステム情報リソースリストを前記ＵＥに送信するための手段をさらに備え、前記チャネルコード情報が前記基地局の複数のセクタに関連付けられる、Ｃ６１に記載の基地局。
［Ｃ６６］
前記よりソフトなハンドオーバ開始メッセージを受信することに応答して、前記ＵＥにマルチセクタＥ−ＤＣＨリソースインデックス値を送信するための手段と、
前記第１のセクタを介して、前記マルチセクタＥ−ＤＣＨリソースインデックス値に対応する、Ｅ−ＤＣＨリソースの第１の部分上で第１のデータストリームを送信するための手段と、
前記第２のセクタを介して、前記マルチセクタＥ−ＤＣＨリソースインデックス値に対応する、Ｅ−ＤＣＨリソースの第２の部分上で第２のデータストリームを送信するための手段と
をさらに備える、Ｃ６５に記載の基地局。
［Ｃ６７］
少なくとも１つのプロセッサによって実行されたとき、前記プロセッサに、
基地局の第１のセクタを介してユーザ機器（ＵＥ）と通信することと、
プリアンブルシグナチャパーティションリストをブロードキャストすることと、
前記ＵＥからプリアンブルシグナチャを含むよりソフトなハンドオーバ開始メッセージを受信することと、
前記受信したプリアンブルシグナチャに基づいて前記プリアンブルシグナチャパーティションリストから、前記基地局の前記第１のセクタと第２のセクタとに関連するよりソフトなハンドオーバ構成を識別することと
を行わせる１つまたは複数の命令を記憶した、非一時的プロセッサ可読媒体。
［Ｃ６８］
前記命令が、前記プロセッサによって実行されたとき、前記プロセッサに、
無線ネットワークコントローラ（ＲＮＣ）から前記プリアンブルシグナチャパーティションリストを受信することと、
前記ＲＮＣからマルチセクタ共通拡張アップリンク専用チャネル（Ｅ−ＤＣＨ）システム情報リソースリストを受信することと
をさらに行わせる、Ｃ６７に記載の非一時的プロセッサ可読媒体。
［Ｃ６９］
前記命令が、前記プロセッサによって実行されたとき、前記プロセッサに、
前記受信したプリアンブルシグナチャに基づいて、前記ＵＥが前記第１のセクタと前記第２のセクタとの内に位置すると判断すること
をさらに行わせる、Ｃ６７に記載の非一時的プロセッサ可読媒体。
［Ｃ７０］
前記命令が、前記プロセッサによって実行されたとき、前記プロセッサに、
前記ＵＥがＣｅｌｌ＿ＦＡＣＨ状態にある間に、前記第１のセクタと前記第２のセクタとに関連する前記よりソフトなハンドオーバ構成に関与することを前記ＵＥが望むと判断すること
をさらに行わせる、Ｃ６９に記載の非一時的プロセッサ可読媒体。
［Ｃ７１］
前記命令が、前記プロセッサによって実行されたとき、前記プロセッサに、アップリンク送信を可能にするチャネルのチャネルコード情報を含むマルチセクタ共通Ｅ−ＤＣＨシステム情報リソースリストを前記ＵＥに送信することをさらに行わせ、前記チャネルコード情報が前記基地局の複数のセクタに関連付けられる、Ｃ６７に記載の非一時的プロセッサ可読媒体。
［Ｃ７２］
前記命令が、前記プロセッサによって実行されたとき、前記プロセッサに、
前記よりソフトなハンドオーバ開始メッセージを受信することに応答して、前記ＵＥにマルチセクタＥ−ＤＣＨリソースインデックス値を送信することと、
前記第１のセクタを介して、前記マルチセクタＥ−ＤＣＨリソースインデックス値に対応する、Ｅ−ＤＣＨリソースの第１の部分上で第１のデータストリームを送信することと、
前記第２のセクタを介して、前記マルチセクタＥ−ＤＣＨリソースインデックス値に対応する、Ｅ−ＤＣＨリソースの第２の部分上で第２のデータストリームを送信することとをさらに行わせる、Ｃ７１に記載の非一時的プロセッサ可読媒体。
［Ｃ７３］
ネットワークノードにおいて動作可能なワイヤレス通信の方法であって、
プリアンブルシグナチャ空間をグループに区分することであって、各グループが、基地局に関連する複数のセクタのうちの１つのセクタに対応する、区分することと、
前記区分されたプリアンブルシグナチャ空間に基づいてプリアンブルシグナチャパーティションリストを生成することと、
前記基地局に前記プリアンブルシグナチャパーティションリストを送信することとを備える、方法。
［Ｃ７４］
アップリンク送信を可能にするチャネルのチャネルコード情報を含むマルチセクタ共通拡張アップリンク専用チャネル（Ｅ−ＤＣＨ）システム情報リソースリストを生成することをさらに備え、前記チャネルコード情報が前記基地局の前記複数のセクタに関連付けられる、Ｃ７３に記載の方法。
［Ｃ７５］
前記基地局に前記マルチセクタ共通Ｅ−ＤＣＨシステム情報リソースリストを送信すること
をさらに備える、Ｃ７４に記載の方法。
［Ｃ７６］
前記基地局と通信しているユーザ機器が、前記基地局に関連する前記複数のセクタのうちの２つ以上のセクタ間のよりソフトなハンドオーバに関与することを可能にすべきかどうかを判断するために使用される少なくとも１つのあらかじめ定義される電力しきい値を生成すること
をさらに備える、Ｃ７３に記載の方法。
［Ｃ７７］
第１のあらかじめ定義された電力しきい値は、前記ユーザ機器が、前記基地局に関連する前記複数のセクタのうちの第１のセットのセクタ間のよりソフトなハンドオーバに関与することを可能にすべきかどうかを判断し、第２のあらかじめ定義された電力しきい値は、前記ユーザ機器が、前記基地局に関連する前記複数のセクタのうちの第２の異なるセットのセクタ間のよりソフトなハンドオーバに関与することを可能にすべきかどうかを判断する、Ｃ７６に記載の方法。
［Ｃ７８］
前記プリアンブルシグナチャパーティションリストは、前記基地局と通信しているユーザ機器が、前記基地局に関連する前記複数のセクタのうちの２つ以上のセクタ間のよりソフトなハンドオーバを実行することを可能にするように適合された、Ｃ７３に記載の方法。
［Ｃ７９］
前記プリアンブルシグナチャパーティションリストは、前記ユーザ機器が、非専用チャネル状態でよりソフトなハンドオーバを実行することを可能にするようにさらに適合された、Ｃ７８に記載の方法。
［Ｃ８０］
前記非専用チャネル状態がＣｅｌｌ＿ＦＡＣＨ状態である、Ｃ７９に記載の方法。
［Ｃ８１］
前記ネットワークノードが無線ネットワークコントローラ（ＲＮＣ）または発展型ノードＢのうちの１つである、Ｃ７３に記載の方法。
［Ｃ８２］
ネットワークに通信するように適合された通信インターフェースと、
前記通信インターフェースに通信可能に結合された処理回路であって、
プリアンブルシグナチャ空間をグループに区分することであって、各グループが、基地局に関連する複数のセクタのうちの１つのセクタに対応する、区分することと、
前記区分されたプリアンブルシグナチャ空間に基づいてプリアンブルシグナチャパーティションリストを生成することと、
前記基地局に前記プリアンブルシグナチャパーティションリストを送信することと
を行うように適合された処理回路と
を備える、ネットワークノード。
［Ｃ８３］
前記処理回路が、
アップリンク送信を可能にするチャネルのチャネルコード情報を含むマルチセクタ共通拡張アップリンク専用チャネル（Ｅ−ＤＣＨ）システム情報リソースリストを生成するようにさらに適合され、前記チャネルコード情報が前記基地局の前記複数のセクタに関連付けられる、Ｃ８２に記載のネットワークノード。
［Ｃ８４］
前記処理回路が、
前記基地局に前記マルチセクタ共通Ｅ−ＤＣＨシステム情報リソースリストを送信すること
を行うようにさらに適合された、Ｃ８３に記載のネットワークノード。
［Ｃ８５］
前記処理回路が、
前記基地局と通信しているユーザ機器が、前記基地局に関連する前記複数のセクタのうちの２つ以上のセクタ間のよりソフトなハンドオーバに関与することを可能にすべきかどうかを判断するために使用される少なくとも１つのあらかじめ定義される電力しきい値を生成すること
を行うようにさらに適合された、Ｃ８２に記載のネットワークノード。
［Ｃ８６］
第１のあらかじめ定義された電力しきい値は、前記ユーザ機器が、前記基地局に関連する前記複数のセクタのうちの第１のセットのセクタ間のよりソフトなハンドオーバに関与することを可能にすべきかどうかを判断し、第２のあらかじめ定義された電力しきい値は、前記ユーザ機器が、前記基地局に関連する前記複数のセクタのうちの第２の異なるセットのセクタ間のよりソフトなハンドオーバに関与することを可能にすべきかどうかを判断する、Ｃ８５に記載のネットワークノード。
［Ｃ８７］
前記プリアンブルシグナチャパーティションリストは、前記基地局と通信しているユーザ機器が、前記基地局に関連する前記複数のセクタのうちの２つ以上のセクタ間のよりソフトなハンドオーバを実行することを可能にするように適合された、Ｃ８２に記載のネットワークノード。
［Ｃ８８］
前記プリアンブルシグナチャパーティションリストは、前記ユーザ機器が、非専用チャネル状態でよりソフトなハンドオーバを実行することを可能にするようにさらに適合された、Ｃ８７に記載のネットワークノード。
［Ｃ８９］
前記非専用チャネル状態がＣｅｌｌ＿ＦＡＣＨ状態である、Ｃ８８に記載のネットワークノード。
［Ｃ９０］
前記ネットワークノードが無線ネットワークコントローラ（ＲＮＣ）または発展型ノードＢのうちの１つである、Ｃ８２に記載のネットワークノード。
［Ｃ９１］
プリアンブルシグナチャ空間をグループに区分するための手段であって、各グループが、基地局に関連する複数のセクタのうちの１つのセクタに対応する、区分するための手段と、
前記区分されたプリアンブルシグナチャ空間に基づいてプリアンブルシグナチャパーティションリストを生成するための手段と、
前記基地局に前記プリアンブルシグナチャパーティションリストを送信するための手段と
を備える、ネットワークノード。
［Ｃ９２］
アップリンク送信を可能にするチャネルのチャネルコード情報を含むマルチセクタ共通拡張アップリンク専用チャネル（Ｅ−ＤＣＨ）システム情報リソースリストを生成するための手段であって、前記チャネルコード情報が前記基地局の前記複数のセクタに関連付けられる、生成するための手段と、
前記基地局に前記マルチセクタ共通Ｅ−ＤＣＨシステム情報リソースリストを送信するための手段と
をさらに備える、Ｃ９１に記載のネットワークノード。
［Ｃ９３］
前記基地局と通信しているユーザ機器が、前記基地局に関連する前記複数のセクタのうちの２つ以上のセクタ間のよりソフトなハンドオーバに関与することを可能にすべきかどうかを判断するために使用される少なくとも１つのあらかじめ定義される電力しきい値を生成するための手段
をさらに備える、Ｃ９１に記載のネットワークノード。
［Ｃ９４］
第１のあらかじめ定義された電力しきい値は、前記ユーザ機器が、前記基地局に関連する前記複数のセクタのうちの第１のセットのセクタ間のよりソフトなハンドオーバに関与することを可能にすべきかどうかを判断し、第２のあらかじめ定義された電力しきい値は、前記ユーザ機器が、前記基地局に関連する前記複数のセクタのうちの第２の異なるセットのセクタ間のよりソフトなハンドオーバに関与することを可能にすべきかどうかを判断する、Ｃ９３に記載のネットワークノード。
［Ｃ９５］
前記プリアンブルシグナチャパーティションリストは、前記基地局と通信しているユーザ機器が、前記基地局に関連する前記複数のセクタのうちの２つ以上のセクタ間のよりソフトなハンドオーバを実行することを可能にするように適合された、Ｃ９１に記載のネットワークノード。
［Ｃ９６］
前記プリアンブルシグナチャパーティションリストは、前記ユーザ機器が、Ｃｅｌｌ＿ＦＡＣＨ状態でよりソフトなハンドオーバを実行することを可能にするようにさらに適合された、Ｃ９５に記載のネットワークノード。
［Ｃ９７］
少なくとも１つのプロセッサによって実行されたとき、前記プロセッサに、
プリアンブルシグナチャ空間をグループに区分することであって、各グループが、基地局に関連する複数のセクタのうちの１つのセクタに対応する、区分することと、
前記区分されたプリアンブルシグナチャ空間に基づいてプリアンブルシグナチャパーティションリストを生成することと、
前記基地局に前記プリアンブルシグナチャパーティションリストを送信することとを行わせる１つまたは複数の命令を有する、非一時的プロセッサ可読媒体。
［Ｃ９８］
前記命令が、前記プロセッサによって実行されたとき、前記プロセッサに、
アップリンク送信を可能にするチャネルのチャネルコード情報を含むマルチセクタ共通拡張アップリンク専用チャネル（Ｅ−ＤＣＨ）システム情報リソースリストを生成することであって、前記チャネルコード情報が前記基地局の前記複数のセクタに関連付けられる、生成することと、
前記基地局に前記マルチセクタ共通Ｅ−ＤＣＨシステム情報リソースリストを送信することと
をさらに行わせる、Ｃ９７に記載の非一時的プロセッサ可読媒体。
［Ｃ９９］
前記命令が、前記プロセッサによって実行されたとき、前記プロセッサに、
前記基地局と通信しているユーザ機器が、前記基地局に関連する前記複数のセクタのうちの２つ以上のセクタ間のよりソフトなハンドオーバに関与することを可能にすべきかどうかを判断するために使用される少なくとも１つのあらかじめ定義される電力しきい値を生成すること
をさらに行わせる、Ｃ９７に記載の非一時的プロセッサ可読媒体。
［Ｃ１００］
第１のあらかじめ定義された電力しきい値は、前記ユーザ機器が、前記基地局に関連する前記複数のセクタのうちの第１のセットのセクタ間のよりソフトなハンドオーバに関与することを可能にすべきかどうかを判断し、第２のあらかじめ定義された電力しきい値は、前記ユーザ機器が、前記基地局に関連する前記複数のセクタのうちの第２の異なるセットのセクタ間のよりソフトなハンドオーバに関与することを可能にすべきかどうかを判断する、Ｃ９９に記載の非一時的プロセッサ可読媒体。
［Ｃ１０１］
前記プリアンブルシグナチャパーティションリストは、前記基地局と通信しているユーザ機器が、前記基地局に関連する前記複数のセクタのうちの２つ以上のセクタ間のよりソフトなハンドオーバを実行することを可能にするように適合された、Ｃ９７に記載の非一時的プロセッサ可読媒体。
［Ｃ１０２］
前記プリアンブルシグナチャパーティションリストは、前記ユーザ機器が、Ｃｅｌｌ＿ＦＡＣＨ状態でよりソフトなハンドオーバを実行することを可能にするようにさらに適合された、Ｃ１０１に記載の非一時的プロセッサ可読媒体。
【図１】
0005755797.tif 000002
【図２】
0005755797.tif 000003
【図３】
0005755797.tif 000004
【図４】
0005755797.tif 000005
【図５】
0005755797.tif 000006
【図６】
0005755797.tif 000007
【図７】
0005755797.tif 000008
【図８Ａ】
0005755797.tif 000009
【図８Ｂ】
0005755797.tif 000010
【図８Ｃ】
0005755797.tif 000011
【図９】
0005755797.tif 000012
【図１０Ａ】
0005755797.tif 000013
【図１０Ｂ】
0005755797.tif 000014
【図１１Ａ】
0005755797.tif 000015
【図１１Ｂ】
0005755797.tif 000016
【図１１Ｃ】
0005755797.tif 000017
【図１２】
0005755797.tif 000018
【図１３】
0005755797.tif 000019
【図１４】
0005755797.tif 000020
【図１５】
0005755797.tif 000021
【図１６】
0005755797.tif 000022
【図１７】
0005755797.tif 000023